(57)【要約】【課題】排泄・シャワー・簡易入浴・遠赤外線暖房ドーム裸仰臥生活等の対応機能付帯ベッドにて、重度要介護仰臥者が着用又は使用する、重度要介護者用下着、及び重度要介護者用パジャマ、及び重度要介護者用シーツを開発・提供する事。【解決手段】水着類似速乾性機能・簡単着脱機能を有し、且つブラジャー以外は臀部解放穴設置排泄対応機能を有した機能構造とした、下着・パジャマ・シーツ、更にシーツ兼用パジャマ・肌掛け兼用パジャマの提供を可能にした。【選択図】  図２１
2016176177.tif 000002
【特許請求の範囲】
【請求項１】
排泄及びシャワー対応機能付帯ベッド使用重度要介護者用下着及びシーツにおいて、重度要介護者用ショーツ又は重度要介護者用ズロース又は重度要介護者用ブリーフ又は重度要介護者用トランクス又は重度要介護者用褌又は重度要介護者用パジャマ又は重度要介護者用シーツの構造を、排泄及びシャワー対応機能付帯ベッドに仰向け仰臥状態で、概ね大便の付着の無い状態で大便の排泄ができ且つ小便が滞留することなく排泄対応機能部に流れ落ちる排泄解放穴を臀部部に設けた構造とし、且つ本体部生地素材を、水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、且つ重度要介護者用シーツ以外については小便が上部に飛散することのない且つ上方より恥部が見えない構造としたことを特徴とした、重度要介護者用ショーツ又は重度要介護者用ズロース又は重度要介護者用ブリーフ又は重度要介護者用トランクス又は重度要介護者用褌又は重度要介護者用パジャマ又は重度要介護者用シーツ。
【請求項２】
排泄及びシャワー対応機能付帯ベッド使用重度要介護者用下着及びシーツにおいて、重度要介護者用腹巻状下着又は被介護者用腹巻又は重度要介護者用ロング腹巻（概ね胸から膝上まで覆う構造）又は重度要介護者用スリップの構造を、排泄対応機能付帯ベッド又は更にシャワー対応機能・入浴機能等の機能付帯ベッドに仰向け仰臥状態で、小便が上部に飛散することのない且つ上方より恥部が見えない構造で、概ね大便の付着の無い状態で大便の排泄ができ且つ小便が滞留することなく排泄対応機能部に流れ落ちる臀部側排泄解放穴を臀部部に設けた構造もしくは上記臀部側排泄開放穴の下部を連続した解放構造又はスリット解放構造の解放構造のいずれかの構造とし且つ股下位置よりも下方に幾分ずれた位置（臀部側排泄開放穴構造においては解放穴の下端位置）に左右もしくは腿内側前後を縫付又は片側簡単着脱構造で一部連結する構造又は臀部側排泄開放穴下部解放有無にかかわらず足側から恥部を隠し且つ排尿の飛散を防止する布を股下位置よりも下方に幾分ずれた位置に前側から垂下る構造又は前後（下部解放構造においては前後左右）縫付又は片側簡単着脱構造で連結する構造又は上記いずれかの構造で且つ背中部合せ簡単着脱合構造のいずれかの構造とし、且つ本体部生地素材を、水はけ性及び乾燥性及び伸縮性に優れたポリエステル繊維又はポリエステル複合繊維又はそれらの繊維のいずれかとポリウレタン弾性繊維組合せ構造の素材のいずれかの素材としたことを特徴とした、重度要介護者用腹巻状下着又は重度要介護者用腹巻又は重度要介護者用ロング腹巻又は重度要介護者用スリップ。
【請求項３】
前記請求項１又は２記載の重度要介護者用ショーツ又は重度要介護者用ブリーフ又は重度要介護者用腹巻状下着又は重度要介護者用腹巻又は被介護者用ロング腹巻又は重度要介護者用スリップにおいて、基本構造を前記請求項１又は２記載構造とし、本体部生地素材を、高伸縮性シリコンゴム、又は水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、全体、又は強度機能又は操作機能又はデザイン機能又は露出の問題が懸念される部分を除いた部分をお湯や尿が即座に排出され速乾性に優れる網目状（繊維においては目視可能隙間のある織り目構造でシリコンゴムにおいては目視可能なる無数の穴あき構造）の構造としたことを特徴とした、重度要介護者用ショーツ又は重度要介護者用ブリーフ又は重度要介護者用腹巻状下着又は重度要介護者用腹巻又は重度要介護者用ロング腹巻又は重度要介護者用スリップ。
【請求項４】
排泄及びシャワー対応機能付帯ベッド使用重度要介護者用ブラジャーにおいて、本体部生地素材を、高伸縮性シリコンゴムとし、全体、又は強度機能又は操作機能又はデザイン機能又は露出の問題が生ずる部分を除いた部分を、お湯等が即座に排出され速乾性に優れた無数の穴あき構造としたことを特徴とした、重度要介護者用ブラジャー。
【請求項５】
排泄及びシャワー対応機能付帯ベッド使用重度要介護者用パジャマにおいて、本体部生地素材を、水はけ性及び乾燥性及び伸縮性に優れたポリエステル繊維又はポリエステル複合繊維のいずれか又はそれらとポリウレタン弾性繊維組合せ構造の素材のいずれかの素材とするとともに、前側クロス合わせ簡単脱着構造、且つ首部及び腕部Ｕの字溝肩部クロス合わせ簡単脱着の袖無し構造とした一枚シート状の簡単開閉前合わせワンピース構造とし、且つ排泄対応機能付帯ベッド又は更にシャワー対応機能・入浴機能等の機能付帯ベッドに仰向け仰臥状態で概ね大便の付着の無い状態で大便の排泄ができる臀部部に排泄用解放穴を設けた構造、もしくは更に上記排泄用解放穴の上部に縫い付け構造もしくは簡単着脱構造で臀部露出防止垂れ下げカバーを取り付ける構造、のいずれかの構造とし、着用状態にてパジャマ機能となり未着用シート状にてシーツ機能を有する機能構造としたことを特徴とした、重度要介護者用パジャマ、又は重度要介護者用シーツ兼用パジャマ。
【請求項６】
排泄及びシャワー対応機能付帯ベッド使用重度要介護者用パジャマにおいて、本体部生地素材を、水はけ性及び乾燥性及び伸縮性に優れたポリエステル繊維又はポリエステル複合繊維のいずれか又はそれらとポリウレタン弾性繊維組合せ構造の素材のいずれかの素材とするとともに、シート状に開いた状態において両サイドが背中中心部となる一枚シート構造とし、首部及び腕部Ｕの字溝肩部クロス合わせ袖無し背中合せワンピース構造とし、且つ泄対応機能付帯ベッド又は更にシャワー対応機能・入浴機能等の機能付帯ベッドに仰向け仰臥状態で概ね大便の付着の無い状態で大便の排泄ができる臀部部に両側半楕円形状等の合せ構造の排泄用解放穴設置構造とし、上記両側合せ排泄用解放穴の上部側ファスナー設置構造又は数ケ所簡単脱着連結構造のいずれかの構造で且つ合せ排泄用解放穴の直下部一ケ所を簡単脱着連結構造、又は更に上記排便用解放穴の上部に簡単着脱構造で臀部露出防止垂れ下げ飾りカバーを取り付けた構造、のいずれかの構造とし、着用状態にてパジャマ機能となり未着用シート状にて肌掛け機能を有する機能構造としたことを特徴とした、重度要介護者用パジャマ、又は重度要介護者用肌掛け兼用パジャマ。
【請求項７】
前記請求項１記載の重度要介護者用シーツにおいて、基本構造を前記請求項35記載構造とし、本体部生地素材を、高伸縮性シリコンゴム、もしくは水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、お湯や尿が即座に排出され速乾性に優れる網目状（繊維においては目視可能隙間のある織り目構造でシリコンゴムにおいては目視可能なる無数の穴あき構造）の構造としたことを特徴とした、重度要介護者用シーツ。
【発明の詳細な説明】
【技術分野】
【０００１】
本発明は、排泄・シャワー・簡易入浴・遠赤外線暖房ドーム裸仰臥生活等の対応機能付帯ベッドにて、重度要介護仰臥者が排泄・シャワー・簡易入浴・遠赤外線暖房ドーム裸仰臥生活等のベッド機能に対応するために着用又は使用する、重度要介護者用下着、及び重度要介護者用パジャマ、及び重度要介護者用シーツに関するものである。
【背景技術】
【０００２】
超高齢社会化で重度要介護者が急増し、国家財政・介護施設・介護士が不足している状況下で、老々介護・低負荷介護対応の安価高利便性在宅型トイレ・シャワー・簡易入浴機能付帯多機能介護ベッド及びそのベッド機能対応重度要介護者用下着・パジャマ・シーツ及びベッド仰臥姿勢対応テレビ観賞装置及びテレビモニター映像リハビリ支援システム等の発明・市販化が切望されている。しかし現時点では実用的なものは市販化されていない。それらの超高齢社会化対応ニーズに応える発明・市販を急ぐ必要がある。
【０００３】
それらのニーズに応える、老々介護・低負荷介護対応の安価高利便性在宅型トイレ・シャワー・簡易入浴・遠赤外線暖房ドーム機能付帯多機能介護ベッド、及びベッド仰臥者用薄型テレビ等多機能載置装置、及びベッド仰臥姿勢リハビリデジタル映像視聴実施ソフトについては、本特許出願とは分離して出願する。従って以下は在宅型トイレ・シャワー・簡易入浴機能付帯多機能介護ベッドのベッド機能対応重度要介護者用下着・パジャマ・シーツの背景技術について記載する。
【０００４】
ほぼ寝たきりの重度要介護者が日本国だけでも概ね２００万人と推定されている。
重度要介護者が一番自由に且つ介護者に負担を掛けずに生活できる方法が、頭顔部を除くドーム暖房（空調）完備のトイレ・シャワー・入浴機能を有したベッド上での裸生活と考えられる。しかし特に女性においては、ドーム覆い構造であっても下着なしの「裸」は抵抗が大きい。又、授介護時及び来客時等の対応としても着衣のままでトイレ・シャワー・入浴ができる下着、及び着衣のまま又は授介護時及び来客時等に即着衣できるパジャマ等が必要である。又伸縮性ゴムシート構造のトイレ・シャワー・入浴機能ベッド生活時にゴムシート直接肌接触を避けるトイレ・シャワー・入浴機能ベッド対応シーツも条件等により必要である。しかし上記の必要条件を満たす発明開示は見当たらない。一部の必要機能を有した発明開示として特許文献１及び２がある。
【０００５】
ベッド上排泄対応下着としてシビン使用対応下着の発明開示として開示例特許文献１の介護用又下なし下着がある。本発明構造はシート上腹巻き構造で臀部側の尾てい骨部から下側を開放し且つサイド部全体を簡単接合合わせ構造としたものである。ベッド上排泄部位置に便器機能体を設置した仰臥状態で排便する場合は排便機能部位位置を大きく解放しないと便の付着が防止できず、且つ尾てい骨部から下部まで解放すると開放部の最下端部が捲れるポテンシャルが高く且つ下方から恥部が見えると言う欠点があり掛布団なしの暖房機能ドーム生活対応上は問題となる。又、お尻洗浄トイレ・シャワー・入浴対応機能として速乾性が求められる。これらの課題の解決が必要である。
【０００６】
入浴対応下着ブラジャーの発明開示として開示例特許文献２の温泉入浴着衣がある。本発明は混浴入浴時対応として発明されたものであり、乾燥性を向上するために全体を編目構造とし、性器部、肛門部、乳輪部、等位置部分だけは覆いを設けた構造となっている。トイレ・シャワー・入浴対応機能介護ベッドでの使用は継続着用となるので速乾性及び脱着性、更にパンツにおいては便の排泄、付着防止機能が必要であり、それらの機能に合致した素材及び構造とすることが求められる。
【０００７】
トイレ・シャワー・入浴対応機能ベッドとするためには、ベッド仰臥面部を高伸縮性ゴムシートとすることが有効と考えられるが、ゴムシートをアレルギー対応のシリコンゴムとしたとしても肌への密着不快感、及び密着不快感防止凹凸構造とした場合のコスト等の問題がある。それらを解決する、トイレ・シャワー・入浴対応機能ベッド用シーツの発明開示は見当たらない。
【特許文献１】実登3085098号広報
【特許文献２】実登3019468号広報
【発明の開示】
【発明が解決しようとする課題】
【０００８】
本発明は、排泄・シャワー・簡易入浴・遠赤外線暖房ドーム裸仰臥生活等の対応機能付帯ベッドにて、重度要介護仰臥者が排泄・シャワー・簡易入浴・遠赤外線暖房ドーム裸仰臥生活等のベッド機能に対応するために着用又は使用する、重度要介護者用下着、及び重度要介護者用パジャマ、及び重度要介護者用シーツを開発・提供する事を課題とするものである。
【課題を解決するための手段】
【０００９】
この課題を解決するための請求項１の発明は、排泄及びシャワー対応機能付帯ベッド使用重度要介護者用下着及びシーツにおいて、重度要介護者用ショーツ又は重度要介護者用ズロース又は重度要介護者用ブリーフ又は重度要介護者用トランクス又は重度要介護者用褌又は重度要介護者用パジャマ又は重度要介護者用シーツの構造を、排泄及びシャワー対応機能付帯ベッドに仰向け仰臥状態で、概ね大便の付着の無い状態で大便の排泄ができ且つ小便が滞留することなく排泄対応機能部に流れ落ちる排泄解放穴を臀部部に設けた構造とし、且つ本体部生地素材を、水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、且つ重度要介護者用シーツ以外については小便が上部に飛散することのない且つ上方より恥部が見えない構造とした、重度要介護者用ショーツ又は重度要介護者用ズロース又は重度要介護者用ブリーフ又は重度要介護者用トランクス又は重度要介護者用褌又は重度要介護者用パジャマ又は重度要介護者用シーツ。トイレ・シャワー・入浴機能有し、且つ頭顔部を除く肩から下部の全身を覆う遠赤外線暖房付帯ドーム構造の常時裸生活対応機能ベッドであっても、特に女性は裸生活には大きな抵抗がある。胸や恥部を覆う下着だけではなく、来客、診察、授介護時等に簡単に装着できるパジャマも必要である。又、伸縮性ゴムシート構造のトイレ・シャワー・入浴機能ベッド上常時裸生活ではゴムシートをゴムアレルーギーのないシリコンゴムとしたとしても肌密着不快感対策等の観点から直接肌接触を避けるトイレ・シャワー・入浴機能ベッド対応シーツも条件等により必要となる。又、使い捨てモムツは、消費上、及び産廃処理のエコ対策上も解決すべき課題である。本発明は、トイレ・シャワー・入浴機能ベッドの発明と合わせて、それらのニーズに対応する為の発明である。最近の水着素材及び介護シーツ素材は、水はけ性及び乾燥性以外に冷感軽減性・保温性・通気性・触感性、等に優れた素材が開発されており、本下着及びシーツは常時着用等の仕様なので、それらのより特性の優れた素材とすることが望ましい。網目及び生地の厚さ及び構造においても水はけ性及び乾燥性に優れた構造とすることが望ましい。又、いずれの下着においては腰回りのサイド位置又は背面位置にて一箇所又は２箇所を簡単着脱合せ構造とすることもできる。又、いずれの下着及びシーツにおいても撥水加工を施したものとすることもできる。又、いずれの下着及びシーツにおいても素材生地については現状開発市販されているものの中から適正素材を選択したがより優れたものが発明されればそのより優れた素材生地とすることができる。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用下着、及び重度要介護者用パジャマ、及び重度要介護用シーツの提供が可能となる。
【００１０】
この課題を解決するための請求項２の発明は、排泄及びシャワー対応機能付帯ベッド使用重度要介護者用下着及びシーツにおいて、重度要介護者用腹巻状下着又は被介護者用腹巻又は重度要介護者用ロング腹巻（概ね胸から膝上まで覆う構造）又は重度要介護者用スリップの構造を、排泄対応機能付帯ベッド又は更にシャワー対応機能・入浴機能等の機能付帯ベッドに仰向け仰臥状態で、小便が上部に飛散することのない且つ上方より恥部が見えない構造で、概ね大便の付着の無い状態で大便の排泄ができ且つ小便が滞留することなく排泄対応機能部に流れ落ちる臀部側排泄解放穴を臀部部に設けた構造もしくは上記臀部側排泄開放穴の下部を連続した解放構造又はスリット解放構造の解放構造のいずれかの構造とし且つ股下位置よりも下方に幾分ずれた位置（臀部側排泄開放穴構造においては解放穴の下端位置）に左右もしくは腿内側前後を縫付又は片側簡単着脱構造で一部連結する構造又は臀部側排泄開放穴下部解放有無にかかわらず足側から恥部を隠し且つ排尿の飛散を防止する布を股下位置よりも下方に幾分ずれた位置に前側から垂下る構造又は前後（下部解放構造においては前後左右）縫付又は片側簡単着脱構造で連結する構造又は上記いずれかの構造で且つ背中部合せ簡単着脱合構造のいずれかの構造とし、且つ本体部生地素材を、水はけ性及び乾燥性及び伸縮性に優れたポリエステル繊維又はポリエステル複合繊維又はそれらの繊維のいずれかとポリウレタン弾性繊維組合せ構造の素材のいずれかの素材とした、重度要介護者用腹巻状下着又は重度要介護者用腹巻又は重度要介護者用ロング腹巻又は重度要介護者用スリップ。トイレ・シャワー・入浴機能有し、且つ頭顔部を除く肩から下部の全身を覆う遠赤外線暖房付帯ドーム構造の常時裸生活対応機能ベッドにおいて、常時下着だけ着用の裸生活をおくる場合、お腹を覆う布の有無により適正空調温度が異なり、お腹を覆うことで適正空調温度を２〜３℃程度低く抑えることが可能となる。頭顔部を覆わないドーム構造であっても下着だけの裸生活は適正空調温度を高くする必要があり、脱水防止としてこまめのミネラル水補給等の対応が必要となるのでお腹を覆う下着の着用は脱水防止対策として有効であり本発明の下着はそのニーズにこたえるものである。いずれの下着においても素材生地については現状開発市販されているものの中から適正素材を選択したがより優れたものが発明されればそのより優れた素材生地とすることができる。又、いずれの下着においても撥水加工を施したものとすることもできる。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用下着の提供が可能となる。
【００１１】
この課題を解決するための請求項３の発明は、前記請求項１又は２記載の重度要介護者用ショーツ又は重度要介護者用ブリーフ又は重度要介護者用腹巻状下着又は重度要介護者用腹巻又は被介護者用ロング腹巻又は重度要介護者用スリップにおいて、基本構造を前記請求項１又は２記載構造とし、本体部生地素材を、高伸縮性シリコンゴム、又は水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、全体、又は強度機能又は操作機能又はデザイン機能又は露出の問題が懸念される部分を除いた部分をお湯や尿が即座に排出され速乾性に優れる網目状（繊維においては目視可能隙間のある織り目構造でシリコンゴムにおいては目視可能なる無数の穴あき構造）の構造とした、重度要介護者用ショーツ又は重度要介護者用ブリーフ又は重度要介護者用腹巻状下着又は重度要介護者用腹巻又は重度要介護者用ロング腹巻又は重度要介護者用スリップ。いずれの下着においても腰回りのサイド位置又は背面位置にて簡単着脱合せ構造とすることもできる。又、いずれの下着においても素材生地については現状開発市販されているものの中から適正素材を選択したがより優れたものが発明されればそのより優れた素材生地とすることができる。又、いずれの下着においても撥水加工を施したものとすることもできる。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用下着の提供が可能となる。
【００１２】
この課題を解決するための請求項４の発明は、排泄及びシャワー対応機能付帯ベッド使用重度要介護者用ブラジャーにおいて、本体部生地素材を、高伸縮性シリコンゴムとし、全体、又は強度機能又は操作機能又はデザイン機能又は露出の問題が生ずる部分を除いた部分を、お湯等が即座に排出され速乾性に優れた無数の穴あき構造とした、重度要介護者用ブラジャー。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用ブラジャーの提供が可能となる。
【００１３】
この課題を解決するための請求項５の発明は、排泄及びシャワー対応機能付帯ベッド使用重度要介護者用パジャマにおいて、本体部生地素材を、水はけ性及び乾燥性及び伸縮性に優れたポリエステル繊維又はポリエステル複合繊維のいずれか又はそれらとポリウレタン弾性繊維組合せ構造の素材のいずれかの素材とするとともに、前側クロス合わせ簡単脱着構造、且つ首部及び腕部Ｕの字溝肩部クロス合わせ簡単脱着の袖無し構造とした一枚シート状の簡単開閉前合わせワンピース構造とし、且つ排泄対応機能付帯ベッド又は更にシャワー対応機能・入浴機能等の機能付帯ベッドに仰向け仰臥状態で概ね大便の付着の無い状態で大便の排泄ができる臀部部に排泄用解放穴を設けた構造、もしくは更に上記排泄用解放穴の上部に縫い付け構造もしくは簡単着脱構造で臀部露出防止垂れ下げカバーを取り付ける構造、のいずれかの構造とし、着用状態にてパジャマ機能となり未着用シート状にてシーツ機能を有する機能構造とした、重度要介護者用パジャマ、又は重度要介護者用シーツ兼用パジャマ。トイレ・シャワー・入浴機能有し、且つ頭顔部を除く肩から下部の全身を覆う遠赤外線暖房付帯ドーム構造の常時裸生活対応機能ベッドであっても、特に女性は裸生活には大きな抵抗がある。胸や恥部を覆う下着だけではなく、来客、診察、授介護時等に簡単に装着できるパジャマも必要である。又、伸縮性ゴムシート構造のトイレ・シャワー・入浴機能ベッド上常時裸生活ではゴムシートをゴムアレルーギーのないシリコンゴムとしたとしても肌密着不快感対策等の観点から直接肌接触を避けるトイレ・シャワー・入浴機能ベッド対応シーツも条件等により必要となる。本発明は、着用したまま、又はシーツとして使用したままで、排泄・シャワー・入浴、且つ速乾機能常時着用・使用構造、且つ簡単着脱構造のパジャマとすることでそれらのニーズに対応する発明である。遠赤外線暖房は血行促進効果があるので、遠赤外線暖房ドームでは通常パジャマは使用せず常時裸もしくは請求項１〜４記載の水着仕様下着等を着用した状態での生活が望ましい。従ってワンピース構造パジャマとすることで、通常はシーツとして使用し、食事等の起上り生活、及び来客、診察、授介護時に瞬時に着用できる構造としたものである。又、生地の織目及び厚さ及び構造においても水はけ性及び乾燥性に優れた構造とすることが望ましい。シーツ兼用パジャマにおいてはシーツ仕様での使用時にベッドゴムシートの排泄機能部と重度要介護者用シーツ兼用パジャマの排泄用開放穴部の位置ずれ防止対応機能として、腰紐兼用ベッド固定紐構造、又はスナップ釦、平面ファスナー等簡易着脱紐構造等の構造とし、数箇所ベッド筺体外周フレーム等に固定できる構造とすることが望ましい。又、いずれの構造においても素材生地については現状開発市販されているものの中から適正素材を選択したがより優れたものが発明されればそのより優れた素材生地とすることができる。又、いずれの構造においても撥水加工を施したものとすることもできる。本発明により、重度要介護者のプライバシーを保護する常時裸（水着機能下着着用）生活対応遠赤外線暖房・シャワードーム式トイレ・シャワー・入浴機能付帯在宅・自立支援型自動万能快適介護ベッド等のベッドで使用する、重度要介護者用パジャマ、及び重度要介護者用シーツ兼用パジャマの提供が可能となる。
【００１４】
この課題を解決するための請求項６の発明は、排泄及びシャワー対応機能付帯ベッド使用重度要介護者用パジャマにおいて、本体部生地素材を、水はけ性及び乾燥性及び伸縮性に優れたポリエステル繊維又はポリエステル複合繊維のいずれか又はそれらとポリウレタン弾性繊維組合せ構造の素材のいずれかの素材とするとともに、シート状に開いた状態において両サイドが背中中心部となる一枚シート構造とし、首部及び腕部Ｕの字溝肩部クロス合わせ袖無し背中合せワンピース構造とし、且つ泄対応機能付帯ベッド又は更にシャワー対応機能・入浴機能等の機能付帯ベッドに仰向け仰臥状態で概ね大便の付着の無い状態で大便の排泄ができる臀部部に両側半楕円形状等の合せ構造の排泄用解放穴設置構造とし、上記両側合せ排泄用解放穴の上部側ファスナー設置構造又は数ケ所簡単脱着連結構造のいずれかの構造で且つ合せ排泄用解放穴の直下部一ケ所を簡単脱着連結構造、又は更に上記排便用解放穴の上部に簡単着脱構造で臀部露出防止垂れ下げ飾りカバーを取り付けた構造、のいずれかの構造とし、着用状態にてパジャマ機能となり未着用シート状にて肌掛け機能を有する機能構造とした、重度要介護者用パジャマ、又は重度要介護者用肌掛け兼用パジャマ。着用したまま、排泄・シャワー・入浴、且つ速乾常時着用機能構造で、且つ簡単着脱のワンピース構造パジャマとすることで、通常は肌掛として使用し、食事等の起上り生活、及び来客、診察、授介護時に瞬時に着用することもできる構造としたものである。生地の織目及び厚さ及び構造においても水はけ性及び乾燥性に優れた構造とすることが望ましい。又、いずれの構造においても素材生地については現状開発市販されているものの中から適正素材を選択したがより優れたものが発明されればそのより優れた素材生地とすることができる。又、いずれの構造においても撥水加工を施したものとすることもできる。本発明により、重度要介護者のプライバシーを保護する常時裸（水着機能下着着用）生活対応遠赤外線暖房・シャワードーム式トイレ・シャワー・入浴機能付帯在宅・自立支援型自動万能快適介護ベッド等のベッドで使用する、重度要介護者用パジャマ、及び重度要介護者用肌掛兼用パジャマの提供が可能となる。
【００１５】
この課題を解決するための請求項７の発明は、前記請求項１記載の重度要介護者用シーツにおいて、基本構造を前記請求項１記載構造とし、本体部生地素材を、高伸縮性シリコンゴム、もしくは水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、お湯や尿が即座に排出され速乾性に優れる網目状（繊維においては目視可能隙間のある織り目構造でシリコンゴムにおいては目視可能なる無数の穴あき構造）の構造とした、重度要介護者用シーツ。本発明はベッド仰臥面部を高伸縮性シリコンゴムシートとしたトイレ・シャワー・入浴対応機能ベッド用のシーツとして発明したものである。高伸縮性シリコンゴムシート仰臥面を肌密着防止凹凸金型成形構造等することで、シーツ不要対応とすることも可能であるが、コスト性、及び清掃性・衛生維持性上のポテンシャルがある。ベッドシートを平坦面構造とし、本トイレ・シャワー機能付帯ベッド用介護シーツを使用することで快適条件を満たすことができる。シリコンゴム素材品においては表裏両面の４隅コーナー部及び排泄機能穴部の両側サイド部等に位置ずれ防止機能穴なし凹凸無し平坦平面部を設けた構造とし且つその他は全体を密着防止の梨地（凹凸）面構造とすることが望ましい。使用時にベッドシリコンゴムシートの排泄機能部と本トイレ・シャワー対応機能付帯ベッド用介護用シーツの排泄用開放穴部の位置ずれ防止対応機能として繊維素材においてはスナップ釦・平面ファスナー等の簡易着脱位置ずれ防止機能付加構造とすることが望ましい。本発明により、常時裸生活対応遠赤外線暖房・シャワードーム式トイレ・シャワー・入浴機能付帯在宅・自立支援型自動万能快適介護ベッド等のベッドで使用する、重度要介護者用シーツの提供が可能となる。 
【発明の効果】
【００１６】
本発明により、排泄・シャワー・簡易入浴・遠赤外線暖房ドーム裸仰臥生活等の対応機能付帯ベッドにて、重度要介護仰臥者が排泄・シャワー・簡易入浴・遠赤外線暖房ドーム裸仰臥生活等のベッド機能に対応するために着用又は使用する、重度要介護者用ショーツ、及び重度要介護者用ズロース、及び、重度要介護者用ブリーフ、及び重度要介護者用トランクス、及び、重度要介護者用褌、及び重度要介護者用パジャマ、及び重度要介護者用腹巻状下着、及び重度要介護者用腹巻、及び重度要介護者用ロング腹巻、及び重度要介護者用スリップ、及び重度要介護者用ブラジャー、及び重度要介護者用シーツ兼用パジャマ、及び重度要介護者用肌掛け兼用パジャマ、及び重度要介護者用シーツの提供が可能となり、老々介護・低負荷介護対応の安価高利便性在宅型トイレ・シャワー・簡易入浴・遠赤外線暖房ドーム機能付帯多機能介護ベッド、及びベッド仰臥者用薄型テレビ等多機能載置装置、及びベッド仰臥姿勢リハビリデジタル映像視聴実施ソフトの発明・提供と合わせ、重度要介護者の生甲斐・障害・家族負荷付与の精神ストレスの改善、及び在宅介護者負荷の飛躍的改善を図ることが可能となる。
【発明を実施するための最良の形態】
【００１７】
図１５は、請求項１及び２記載の、下着本体部生地素材を水はけ性・乾燥性・伸縮性・保温性等に優れたポリエステル複合繊維とポリウレタン弾性繊維組合せ構造の東レ製サラカラ等の水着用素材とし、股下位置構造を下着股下部を人体股下に対し２０mm程度隙間を持たせた膨らみ付加構造としその下着の股下中央最下点部を最下点とした臀部楕円形排泄開放穴設置構造とした、トイレ・シャワー機能付帯ベッド用被介護者用ショーツ５１０の、正面図５１０Ａ、及び上面図５１０Ｂである。上記被介護者用ショーツ５１０の部位符号名称は、臀部楕円形排泄解放穴部５１１ｄ、排尿性対応の股下膨らみ部５１１ｅである。
【００１８】
図１６は、請求項１及び２記載の、下着本体部生地素材を水はけ性・乾燥性・伸縮性・保温性等に優れたポリエステル複合繊維とポリウレタン弾性繊維組合せ構造の東レ製サラカラ等の水着用素材とし、中央交錯スリット削除・性器部膨らみ大とした構造とし且つ股下位置構造を下着股下部を人体股下に対し４０mm程度隙間を持たせた膨らみ付加構造としその下着の股下中央最下点部を最下点とした臀部大排泄開放穴設置構造とした、トイレ・シャワー機能付帯ベッド用被介護者用ブリーフ５２０の、正面図５２０Ａ、及び上面図５２０Ｂである。上記被介護者用ブリーフ５２０の部位符号名称は、臀部大排泄解放穴部５２１ｄ、排尿性対応の又下膨らみ部５２１ｅ、速乾性対応クロス削除性器膨らみ部５２１ｆである。
【００１９】
図１７は、請求項１及び２記載の、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に大排泄開放穴を設置し、且つその大排泄開放穴の下部をスリット解放構造とし、且つ大排泄開放穴下端・スリット開始位置と前面部を連結する構造で、恥部覆い及び排尿飛散防止用下着本体部生地同一素材の股下覆い布を縫い付けて設置した構造とした、トイレ・シャワー機能付帯ベッド用被介護者用腹巻状下着５３０の、着用状態正面図５３０Ａ及び着用状態上面図５３０Ｂである。上記被介護者用腹巻状下着５３０の部位符号名称は、臀部大排泄解放穴部５３１ｃ、臀部大排泄解放穴下側スリット部５３１ｄ、又下覆い布部５３２である。
【００２０】
図１８は、請求項３記載の、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に概ね楕円形上の排泄開放穴を設置し、且つその臀部大排泄開放穴の上下で背中央部分割簡単脱着合わせ構造とし、上部はフックセット金具５４４着脱構造、下部は、恥部覆い及び排尿飛散防止用下着本体部生地同一素材の股下覆い布５４２に縫い付けたスナップ釦５４３で左右連結する構造とし、更に股下覆い布５４２のスナップ釦５４３反縫い付け側を同一高さ位置の全面部に縫い付けた背面合せ簡単着脱股下覆い布設置構造とするとともに、腹部及び性器部及び性器周辺部及び外周部を除く部分を水が即座に排出され、外観性・速乾性を有する穴開き網目状構造とした、トイレ・シャワー機能付帯ベッド用被介護者用腹巻状下着５４０の、着用状態正面図５４０Ａ、及び展開図５４０Ｂである。上記被介護者用腹巻状下着５４０の部位符号名称は、腹巻下着本体通常織目生地部５４１ａ、腹巻下着本体穴明き網目状生地部５４１ｂ、臀部排泄解放穴部５４１ｃ、背中側合せ部５４１ｄ、臀部排泄開放穴下側スリット部５４１ｅ、股下覆い布部５４２、スナップ釦凸側５４３ａ、スナップ釦凹側５４３ｂ、フックセット金具オス５４４ａ、フックセット金具メス５４４ｂである。
【００２１】
図１９は、請求項４記載の、本体部生地素材をポリエステル複合繊維とポリウレタン弾性繊維組合せ構造の東レ製サラカラ等の水着用素材とし、乳輪部、外周縁部、着脱接合部を除く部分を水が即座に排出され、速乾性を有した構造で適切形状の穴を設けた網目状の構造とし、且つ背中部を高伸縮性ゴム紐縫い付け連結構造とし、且つ胸中央部でフック金具簡単着脱分離連結構造とした、トイレ・シャワー機能付帯ベッド用被介護者用ブラジャーの展開図である。上記被介護者用ブラジャー５５０の部位符号名称は、ブラジャー穴明き網目状部５５１ａ、ブラジャー外周通常織目生地部５５１ｂ、ブラジャー乳輪通常織目生地部５５１ｃ、ブラジャー背中高伸縮性ゴム紐部５５２、フックセット金具オス５４４ａ、フックセット金具メス５４４ｂ。
【００２２】
図２０は、請求項４記載の、本体部生地素材を高伸縮性シリコンゴムとし、乳輪部、外周縁部、着脱接合部を除く部分を水が即座に排出され、速乾性、肌好接触性を有した構造での穴を設けた網目状の構造とし、且つ背中中央部でのスナップ釦簡単着脱分離連結構造とした、トイレ・シャワー機能付帯ベッド用被介護者用ブラジャーの展開図である。上記被介護者用ブラジャー５６０の部位符号名称は、ブラジャー穴明き網目状部５６１ａ、ブラジャー外周通常織目生地部５６１ｂ、ブラジャー乳輪通常織目生地部５６１ｃ、ブラジャー背中紐部５６１ｄ、スナップ釦凸側５４３ａ、スナップ釦凹側５４３ｂである。
【００２３】
図２１は、請求項５記載の、本体部生地素材をポリエステル複合繊維とポリウレタン弾性繊維組合せ構造の東レ製サラカラ等の水着用素材とし、スナップ釦での前側クロス合わせ簡単脱着構造、且つ首部及び腕部Ｕの字溝肩部クロス合わせ簡単脱着の袖無し構造とした一枚シート状の簡単開閉前合わせワンピース構造とし、且つ臀部部に概ね排泄物の付着が防止できる排泄解放穴を設け、且つその排泄解放穴の下部中央部から背面下端までスリット分割構造とし、且つその排泄解放穴下部中央スリット部に簡単着脱構造で股下解放防止連結紐を設置し、更に上記排泄解放穴の上部に臀部露出防止垂れ下げカバーを縫い付け設置した構造とし、更に臀部排泄穴位置ずれ防止としてシーツ・肌掛ベッド固定紐簡単着脱対応構造とした、トイレ・シャワー機能付帯ベッド用素材被介護者用シーツ兼用パジャマ６１０の、着用状態正面図６１０Ａ、及び展開図６１０Ｂである。上記被介護者用シーツ兼用パジャマ６１０の部位符号名称は、シーツ兼用パジャマ本体部６１１、シーツ兼用パジャマ前合せ部６１１ａ、シーツ兼用パジャマ臀部排泄解放穴部６１１ｂ、シーツ兼用パジャマ背面脚スリット部６１１ｃ、シーツ兼用パジャマ腕通し部６１１ｄ、シーツ兼用パジャマクロス合せ肩部６１１ｅ、シーツ兼用パジャマ首通し部６１１ｆ、シーツ兼用パジャマ臀部股下解放防止連結紐６１２、シーツ兼用パジャマ臀部露出防止垂れ下げカバー６１３、スナップ釦凸側５４３ａ、スナップ釦凹側５４３ｂ、シーツ・肌掛ベッド固定ゴム紐６３０である。
【００２４】
図２２は、請求項６記載の、本体部生地素材をポリエステル複合繊維の帝人製カルキュロR等の速乾性介護シーツ用素材とし、背中中央部分割簡単連結脱着構造で、且つ臀部部に概ね排泄物の付着が防止できる排泄解放穴（中央分割解放穴合わせ構造）を設けた構造とし、背中部をファスナー連結構造とし、排泄解放穴下端中央合せ部をスナップ釦での連結構造とし、且つ首部及び腕部Ｕの字溝肩部クロス合わせ簡単脱着の袖無し構造とした一枚シート状の簡単開閉背中合わせワンピース構造とし、且つベッド外活動対応として排泄用解放穴上部にスナップ釦での臀部露出防止垂れ下げカバーを簡単脱着構造で設置し、更に臀部排泄穴位置ずれ防止としてシーツ・肌掛ベッド固定紐簡単着脱対応構造とした、トイレ・シャワー機能付帯ベッド用被介護者用肌掛兼用パジャマ６２０の、着用状態正面図６２０Ａ、及び展開図６２０Ｂである。上記被介護者用肌掛兼用パジャマ６２０の部位符号名称は、肌掛兼用パジャマ本体部６２１、肌掛兼用パジャマ背中合せ部６２１ａ、肌掛兼用パジャマ臀部排泄解放穴部６２１ｂ、肌掛兼用パジャマ背面脚スリット部６２１ｃ、肌掛兼用パジャマ腕通し部６２１ｄ、肌掛兼用パジャマクロス合せ肩部６２１ｅ、肌掛兼用パジャマ首通し部６２１ｆ、肌掛兼用パジャマフアスナー６２２、フアスナーピン側６２２ａ、フアスナーボックス側６２２ｂ、肌掛兼用パジャマ脱着式臀部露出防止垂れ下げカバー６２３、スナップ釦凸側５４３ａ、スナップ釦凹側５４３ｂ、シーツ・肌掛ベッド固定ゴム紐６３０である。
【００２５】
図２３は、請求項１記載の、本体部生地素材をポリエステル複合繊維の帝人製カルキュロR等の速乾性介護シーツ用素材とし、ベッド仰臥者の排泄機能部位位置に排泄物の付着を概ね防止できる大きさの排泄開放穴を設けた構造とし、更に臀部排泄穴位置ずれ防止としてシーツ・肌掛ベッド固定紐簡単着脱対応構造とした、トイレ・シャワー機能付帯ベッド用介護シーツ７１０の上面図である。上記介護シーツ７１０の部位符号名称は、介護用シーツ本体部７１０ａ、介護シーツ臀部排泄解放穴部７１０ｂ、スナップ釦凹側５４３ｂ、シーツ・肌掛ベッド固定ゴム紐６３０である。
【００２６】
図２４は、請求項７記載の、本体部生地素材を高伸縮性シリコンゴムとし、且つベッド仰臥者の排泄機能部位位置に排泄物の付着を概ね防止できる大きさの排泄開放穴を設けた構造とし、且つ排水性、乾燥性、好触感性（密着不快感の軽減）に対応した概ね適性ピッチにて上下同一位置に球面状等の突起を有し且つ突起間に開放穴を有した金型成形構造とし、更に臀部排泄穴位置ずれ防止としてシーツ・肌掛ベッド固定紐簡単着脱対応構造とした、トイレ・シャワー機能付帯ベッド用介護シーツ７２０の上面図である。上記介護シーツ７２０の部位符号名称は、介護シーツ外周平坦面部７２０ａ、介護シーツ球面突起・開放穴設置部７２０ｂ、介護シーツ臀部排泄解放穴部７２０ｃ、スナップ釦凹側５４３ｂ、シーツ・肌掛ベッド固定ゴム紐６３０である。
【００２７】
図５は、本特許と分離出願した、ベッド仰臥姿勢リハビリデジタル映像視聴実施ソフト・家族対話機能を装備したベッド仰臥者用薄型テレビ等多機能載置装置を設置し、トイレ・シャワー・簡易入浴・裸仰臥生活対応遠赤外線暖房ドーム・機能等の重度要介護者の必要ニーズ概ね全てを満たした、シンプル・在宅・自立型自動万能快適介護ベッド、生涯ライフ対応サウナ機能付帯自動万能快適ベッドの全体正面図である。
【図面の簡単な説明】
【００２８】
【図１５】図１５は、下着本体部生地素材を、水はけ性・乾燥性・伸縮性・保温性等に優れたポリエステル複合繊維とポリウレタン弾性繊維組合せ構造の東レ製サラカラ等の水着用素材とし、股下位置構造を下着股下部を人体股下に対し２０mm程度隙間を持たせた膨らみ付加構造とし、その下着の股下中央最下点部を最下点とした臀部楕円形排泄開放穴設置構造とした、トイレ・シャワー機能付帯ベッド用被介護者用ショーツ５１０の、正面図５１０Ａ、及び上面図５１０Ｂである。
【図１６】図１６は、下着本体部生地素材を水はけ性・乾燥性・伸縮性・保温性等に優れたポリエステル複合繊維とポリウレタン弾性繊維組合せ構造の東レ製サラカラ等の水着用素材とし、中央交錯スリット削除・性器部膨らみ大とした構造とし且つ股下位置構造を下着股下部を人体股下に対し４０mm程度隙間を持たせた膨らみ付加構造としその下着の股下中央最下点部を最下点とした臀部大排泄開放穴設置構造とした、トイレ・シャワー機能付帯ベッド用被介護者用ブリーフ５２０の、正面図５２０Ａ、及び上面図５２０Ｂである。
【図１７】図１７は、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に大排泄開放穴を設置し、且つその大排泄開放穴の下部をスリット解放構造とし、且つ大排泄開放穴下端・スリット開始位置と前面部を連結する構造で、恥部覆い及び排尿飛散防止用下着本体部生地同一素材の股下覆い布を縫い付けて設置した構造とした、トイレ・シャワー機能付帯ベッド用被介護者用腹巻状下着５３０の、着用状態正面図５３０Ａ、及び着用状態上面図５３０Ｂである。
【図１８】図１８は、図１８は、請求項43記載の、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に概ね楕円形上の排泄開放穴を設置し、且つその臀部大排泄開放穴の上下で背中央部分割簡単脱着合わせ構造とし、上部はフックセット金具５４４着脱構造、下部は、恥部覆い及び排尿飛散防止用下着本体部生地同一素材の股下覆い布５４２に縫い付けたスナップ釦５４３で左右連結する構造とし、更に股下覆い布５４２のスナップ釦５４３反縫い付け側を同一高さ位置の全面部に縫い付けた背面合せ簡単着脱股下覆い布設置構造とするとともに、腹部及び性器部及び性器周辺部及び外周部を除く部分を穴穴開き網目状構造とした、トイレ・シャワー機能付帯ベッド用被介護者用腹巻状下着５４０の、着用状態正面図５４０Ａ、及び展開図５４０Ｂである
【図１９】図１９は、本体部生地素材をポリエステル複合繊維とポリウレタン弾性繊維組合せ構造の東レ製サラカラ等の水着用素材とし、乳輪部、外周縁部、着脱接合部を除く部分を水が即座に排出され、速乾性を有した構造で適切形状の穴を設けた網目状の構造とし、且つ背中部を高伸縮性ゴム紐縫い付け連結構造とし、且つ胸中央部でフック金具簡単着脱分離連結構造とした、トイレ・シャワー機能付帯ベッド用被介護者用ブラジャーの展開図である。
【図２０】図２０は、本体部生地素材を高伸縮性シリコンゴムとし、乳輪部、外周縁部、着脱接合部を除く部分を水が即座に排出され、速乾性、肌好接触性を有した構造での穴を設けた網目状の構造とし、且つ背中中央部でのスナップ釦簡単着脱分離連結構造とした、トイレ・シャワー機能付帯ベッド用被介護者用ブラジャーの展開図である。
【図２１】図２１は、本体部生地素材をポリエステル複合繊維とポリウレタン弾性繊維組合せ構造の東レ製サラカラ等の水着用素材とし、スナップ釦での前側クロス合わせ簡単脱着構造、且つ首部及び腕部Ｕの字溝肩部クロス合わせ簡単脱着の袖無し構造とした一枚シート状の簡単開閉前合わせワンピース構造とし、且つ臀部部に概ね排泄物の付着が防止できる排泄解放穴を設け、且つその排泄解放穴の下部中央部から背面下端までスリット分割構造とし、且つその排泄解放穴下部中央スリット部に簡単着脱構造で股下解放防止連結紐を設置し、更に上記排泄用解放穴の上部に臀部露出防止垂れ下げカバーを縫い付け設置した構造とし、更に臀部排泄穴位置ずれ防止としてシーツ・肌掛ベッド固定紐簡単着脱対応構造とした、トイレ・シャワー機能付帯ベッド用被介護者用シーツ兼用パジャマ６１０の、着用状態正面図６１０Ａ、及び展開図６１０Ｂである。
【図２２】図２２は、本体部生地素材を、ポリエステル複合繊維の帝人製カルキュロR等の速乾性介護シーツ用素材とし、背中中央部分割簡単連結脱着構造で、且つ臀部部に概ね排泄物の付着が防止できる排泄解放穴（中央分割解放穴合わせ構造）を設けた構造とし、背中部をファスナー連結構造とし、排泄解放穴下端中央合せ部をスナップ釦での連結構造とし、且つ首部及び腕部Ｕの字溝肩部クロス合わせ簡単脱着の袖無し構造とした一枚シート状の簡単開閉背中合わせワンピース構造とし、且つベッド外活動時に上記排泄解放穴の上部にスナップ釦での臀部露出防止垂れ下げカバーを簡単脱着設置構造とし、更に臀部排泄解放穴位置ずれ防止としてシーツ・肌掛ベッド固定紐簡単着脱対応構造とした、トイレ・シャワー機能付帯ベッド用被介護者用シーツ兼用パジャマ６２０の、着用状態正面図６２０Ａ、及び展開図６２０Ｂである。
【図２３】図２３は、本体部生地素材を、ポリエステル複合繊維の帝人製カルキュロR等の速乾性介護シーツ用素材とし、ベッド仰臥者の排泄機能部位位置に排泄物の付着を概ね防止できる大きさの排泄開放穴を設けた構造とし、更に臀部排泄解放穴位置ずれ防止としてシーツ・肌掛ベッド固定紐簡単着脱対応構造とした、トイレ・シャワー機能付帯ベッド用ポ介護シーツ７１０の上面図である。
【図２４】図２４は、本体部生地素材を高伸縮性シリコンゴムとし、且つベッド仰臥者の排泄機能部位位置に排泄物の付着を概ね防止できる大きさの排泄開放穴を設けた構造とし、且つ排水性、乾燥性、好触感性（密着不快感の軽減）に対応した概ね適性ピッチにて上下同一位置に球面状等の突起を有し且つ突起間に開放穴を有した金型成形構造とし、更に臀部排泄解放穴位置ずれ防止としてシーツ・肌掛ベッド固定紐簡単着脱対応構造とした、トイレ・シャワー機能付帯ベッド用介護シーツ７２０の上面図である。
【図５】図５は、本特許と分離出願した、ベッド仰臥姿勢リハビリデジタル映像視聴実施ソフト・家族対話機能を装備したベッド仰臥者用薄型テレビ等多機能載置装置を設置し、トイレ・シャワー・簡易入浴・裸仰臥生活対応遠赤外線暖房ドーム・機能等の重度要介護者の必要ニーズ概ね全てを満たした、シンプル・在宅・自立型自動万能快適介護ベッド、生涯ライフ対応サウナ機能付帯自動万能快適ベッドの全体正面図である。
【符号の説明】
【００２９】
510  トイレ・シャワー機能付帯ベッド用被介護者用ショーツ
（水着用生地・臀部楕円形排泄開放穴設置・股下膨らみ）
510A 被介護者用ショーツ正面図
510B 被介護者用ショーツ上面図
511aショーツ本体部
511bショーツ胴穴部
511cショーツ脚穴部
511dショーツ臀部楕円形排泄解放穴部
511eショーツ股下膨らみ部
520  トイレ・シャワー機能付帯ベッド用被介護者用ブリーフ（水着用生地・
臀部大排泄開放穴設置・クロススリットレス・股下及び性器部膨らみ）
520A 被介護者用ブリーフ正面図
520B 被介護者用ブリーフ上面図
521aブリーフ本体部
521bブリーフ胴穴部
521cブリーフ脚穴部
521dブリーフ臀部大排泄解放穴部
521eブリーフ股下膨らみ部
521eブリーフクロススリットレス性器膨らみ部
530  トイレ・シャワー機能付帯ベッド用被介護者用腹巻状下着
（水着用生地・臀部大排泄開放穴設置・股下覆い布設置）
530A 被介護者用腹巻状下着着用状態正面図
530B被介護者用腹巻状下着着用状態上面図
531a  腹巻状下着本体部
531b  腹巻状下着胴穴部
531c  腹巻状下着臀部大排泄解放穴部
531d  腹巻状下着臀部大排泄解放穴下側スリット部
532  腹巻状下着股下覆い布部
540  トイレ・シャワー機能付帯ベッド用被介護者用腹巻状下着
（水着用生地・臀部大排泄開放穴設置・背中央部分割簡単脱着
腹部等穴明き網目状・片側脱着連結股下覆い布設置）
540A 被介護者用腹巻状下着着用状態正面図
540B被介護者用腹巻状下着解放展開図
541a  腹巻状下着通常織目生地部
541b  腹巻状下着穴明き網目状生地部
541c  腹巻状下着臀部排泄解放穴部
541d  被腹巻状下着背中側合せ部
541e  腹巻状下着臀部排泄解放穴下側スリット部
542  被介護者用腹巻状下着片側着脱股下覆い布部
543  スナップ釦
543a  トイレ・シャワー機能付帯ベッド用被介護者用シーツ兼用パジャマ
（水着用生地・スナップ釦簡単着脱前合せワンピース構造・臀部大
排  泄開放穴設置・排泄開放穴下部スリット・臀部股下解放防止紐
設置・臀部覆い垂れ下げカバー設置・排泄解放穴位置ズレ防止ベッド
固定紐設置対応機能設置）凸側
543b  スナップ釦凹側
544  フックセット金具
544a フックセット金具オス
5404 フックセット金具メス
550  トイレ・シャワー機能付帯ベッド用被介護者用ブラジャー（水着用生地
・乳輪部以外穴明き網目状・胸中央フック金具簡単着脱・背中ゴム紐）
551a  ブラジャー穴明き網目状部
551b  ブラジャー外周通常網目生地部
551c  ブラジャー乳輪通常織目生地部
552  ブラジャー背中高伸縮性ゴム紐部
560  トイレ・シャワー機能付帯ベッド用被介護者用ブラジャー
（高伸縮性シリコンゴム製・乳輪部以外穴明き網目状・背中中央簡単着脱）
561a  ブラジャー穴明き網目状部
561b  ブラジャー外周平坦面部
561c  ブラジャー乳輪平坦面部
561d  ブラジャー背中紐部
600  パジャマ着用者
610  トイレ・シャワー機能付帯ベッド用被介護者用シーツ兼用パジャマ
（水着用生地・スナップ釦簡単着脱前合せワンピース構造・臀部大排泄
開放穴設置・排泄開放穴下部スリット・臀部股下解放防止紐設置・臀部
覆い垂れ下げカバー設置・排泄解放穴位置ズレ防止ベッド固定紐設置）
610A 被介護者用シーツ兼用パジャマ着用状態図
610B被介護者用シーツ兼用パジャマ展開図
611  シーツ兼用パジャマ本体部
611a  シーツ兼用パジャマ前合せ部
611b  シーツ兼用パジャマ臀部排泄解放穴部
611c  シーツ兼用パジャマ背面脚スリット部
611d  シーツ兼用パジャマ腕通し部
611e  シーツ兼用パジャマクロス合せ肩部
611f  シーツ兼用パジャマ首通し部
612  シーツ兼用パジャマ臀部股下解放防止紐
613  シーツ兼用パジャマ臀部露出防止垂れ下げカバー
620  トイレ・シャワー機能付帯ベッド用被介護者用肌掛兼用パジャマ
（介護シーツ用生地・フアスナー簡単着脱背中合せワンピース構造・
臀部大排泄開放穴設置・排泄開放穴下部スリット・臀部股下解放防止
スナップ釦連結・臀部露出防止垂れ下げカバー設置・排泄解放穴位置
ズレ防止ベッド固定紐設置）
620A 被介護者用肌掛兼用パジャマ着用状態図
620B被介護者用肌掛兼用パジャマ展開図
621  被介護者用肌掛兼用パジャマ本体部
621a  肌掛兼用パジャマ背中合せ部
621b  肌掛兼用パジャマ臀部排泄解放穴部
621c  肌掛兼用パジャマ背面脚スリット部
621d  肌掛兼用パジャマ腕通し部
621e  肌掛兼用パジャマクロス合せ肩部
621f  肌掛兼用パジャマ首通し部
622  肌掛兼用パジャマフアスナー
622a フアスナーピン側
622b フアスナーボックス側
623  肌掛兼用パジャマ脱着式臀部露出防止垂れ下げカバー
630  シーツ・肌掛ベッド固定ゴム紐
710  トイレ・シャワー機能付帯ベッド用介護シーツ
（介護シーツ用素材・排泄解放穴設置・排泄解放穴位置ズレ防止ベッ
ド固定紐設置）
710a 介護用シーツ本体部
710b介護用シーツ臀部排泄解放穴部
720  トイレ・シャワー機能付帯ベッド用介護シーツ
（高伸縮性シリコンゴム・排泄解放穴設置・球面突起・開放穴設置
・排泄解放穴位置ズレ防止ベッド固定紐設置）
720a 介護シーツ外周平坦面部
720b 介護シーツ球面突起・開放穴設置部
720c 介護シーツ臀部排泄解放穴部
【図１５】
2016176177.tif 000003
【図１６】
2016176177.tif 000004
【図１７】
2016176177.tif 000005
【図１８】
2016176177.tif 000006
【図１９】
2016176177.tif 000007
【図２０】
2016176177.tif 000008
【図２１】
2016176177.tif 000009
【図２２】
2016176177.tif 000010
【図２３】
2016176177.tif 000011
【図２４】
2016176177.tif 000012
【図５】
2016176177.tif 000013
【手続補正書】
【提出日】平成28年6月16日(2016.6.16)
【手続補正１】
【補正対象書類名】明細書
【補正対象項目名】全文
【補正方法】変更
【補正の内容】
【発明の詳細な説明】
【技術分野】
【０００１】
本発明は、排泄・シャワー・簡易入浴・遠赤外線暖房ドーム裸仰臥生活等の対応機能付帯ベッドにて、重度要介護仰臥者が排泄・シャワー・簡易入浴・遠赤外線暖房ドーム裸仰臥生活等のベッド機能に対応するために着用又は使用する、重度要介護者用下着、及び重度要介護者用パジャマ、及び重度要介護者用シーツに関するものである。
【背景技術】
【０００２】
超高齢社会化で重度要介護者が急増し、国家財政・介護施設・介護士が不足している状況下で、老々介護・低負荷介護対応の安価高利便性在宅型トイレ・シャワー・簡易入浴機能付帯多機能介護ベッド及びそのベッド機能対応重度要介護者用下着・パジャマ・シーツ及びベッド仰臥姿勢対応テレビ観賞装置及びテレビモニター映像リハビリ支援システム等の発明・市販化が切望されている。しかし現時点では実用的なものは市販化されていない。それらの超高齢社会化対応ニーズに応える発明・市販を急ぐ必要がある。
【０００３】
それらのニーズに応える、老々介護・低負荷介護対応の安価高利便性在宅型トイレ・シャワー・簡易入浴・遠赤外線暖房ドーム機能付帯多機能介護ベッド、及びベッド仰臥者用薄型テレビ等多機能載置装置、及びベッド仰臥姿勢リハビリデジタル映像視聴実施ソフトについては、本特許出願とは分離して出願する。従って以下は在宅型トイレ・シャワー・簡易入浴機能付帯多機能介護ベッドのベッド機能対応重度要介護者用下着・パジャマ・シーツの背景技術について記載する。
【０００４】
ほぼ寝たきりの重度要介護者が日本国だけでも概ね２００万人と推定されている。
重度要介護者が一番自由に且つ介護者に負担を掛けずに生活できる方法が、頭顔部を除くドーム暖房（空調）完備のトイレ・シャワー・入浴機能を有したベッド上での裸生活と考えられる。しかし特に女性においては、ドーム覆い構造であっても下着なしの「裸」は抵抗が大きい。又、授介護時及び来客時等の対応としても着衣のままでトイレ・シャワー・入浴ができる下着、及び着衣のまま又は授介護時及び来客時等に即着衣できるパジャマ等が必要である。又伸縮性ゴムシート構造のトイレ・シャワー・入浴機能ベッド生活時にゴムシート直接肌接触を避けるトイレ・シャワー・入浴機能ベッド対応シーツも条件等により必要である。しかし上記の必要条件を満たす発明開示は見当たらない。一部の必要機能を有した発明開示として特許文献１及び２がある。
【０００５】
ベッド上排泄対応下着としてシビン使用対応下着の発明開示として開示例特許文献１の介護用又下なし下着がある。本発明構造はシート上腹巻き構造で臀部側の尾てい骨部から下側を開放し且つサイド部全体を簡単接合合わせ構造としたものである。ベッド上排泄部位置に便器機能体を設置した仰臥状態で排便する場合は排便機能部位位置を大きく解放しないと便の付着が防止できず、且つ尾てい骨部から下部まで解放すると開放部の最下端部が捲れるポテンシャルが高く且つ下方から恥部が見えると言う欠点があり掛布団なしの暖房機能ドーム生活対応上は問題となる。又、お尻洗浄トイレ・シャワー・入浴対応機能として速乾性が求められる。これらの課題の解決が必要である。
【０００６】
入浴対応下着ブラジャーの発明開示として開示例特許文献２の温泉入浴着衣がある。本発明は混浴入浴時対応として発明されたものであり、乾燥性を向上するために全体を編目構造とし、性器部、肛門部、乳輪部、等位置部分だけは覆いを設けた構造となっている。トイレ・シャワー・入浴対応機能介護ベッドでの使用は継続着用となるので速乾性及び脱着性、更にパンツにおいては便の排泄、付着防止機能が必要であり、それらの機能に合致した素材及び構造とすることが求められる。
【０００７】
トイレ・シャワー・入浴対応機能ベッドとするためには、ベッド仰臥面部を高伸縮性ゴムシートとすることが有効と考えられるが、ゴムシートをアレルギー対応のシリコンゴムとしたとしても肌への密着不快感、及び密着不快感防止凹凸構造とした場合のコスト等の問題がある。それらを解決する、トイレ・シャワー・入浴対応機能ベッド用シーツの発明開示は見当たらない。
【特許文献１】実登3085098号広報
【特許文献２】実登3019468号広報
【発明の開示】
【発明が解決しようとする課題】
【０００８】
本発明は、排泄・シャワー・簡易入浴・遠赤外線暖房ドーム裸仰臥生活等の対応機能付帯ベッドにて、重度要介護仰臥者が排泄・シャワー・簡易入浴・遠赤外線暖房ドーム裸仰臥生活等のベッド機能に対応するために着用又は使用する、重度要介護者用下着、及び重度要介護者用パジャマ、及び重度要介護者用シーツを開発・提供する事を課題とするものである。
【課題を解決するための手段】
【０００９】
この課題を解決するための請求項１の発明は、排泄及びシャワー対応機能付帯ベッド使用重度要介護者用下着及びシーツにおいて、重度要介護者用ショーツ又は重度要介護者用ズロース又は重度要介護者用ブリーフ又は重度要介護者用トランクス又は重度要介護者用褌又は重度要介護者用パジャマ又は重度要介護者用シーツの構造を、排泄及びシャワー対応機能付帯ベッドに仰向け仰臥状態で、概ね大便の付着の無い状態で大便の排泄ができ且つ小便が滞留することなく排泄対応機能部に流れ落ちる排泄解放穴を臀部部に設けた構造とし、且つ本体部生地素材を、水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、且つ重度要介護者用シーツ以外については小便が上部に飛散することのない且つ上方より恥部が見えない構造とした、重度要介護者用ショーツ又は重度要介護者用ズロース又は重度要介護者用ブリーフ又は重度要介護者用トランクス又は重度要介護者用褌又は重度要介護者用パジャマ又は重度要介護者用シーツ。トイレ・シャワー・入浴機能有し、且つ頭顔部を除く肩から下部の全身を覆う遠赤外線暖房付帯ドーム構造の常時裸生活対応機能ベッドであっても、特に女性は裸生活には大きな抵抗がある。胸や恥部を覆う下着だけではなく、来客、診察、授介護時等に簡単に装着できるパジャマも必要である。又、伸縮性ゴムシート構造のトイレ・シャワー・入浴機能ベッド上常時裸生活ではゴムシートをゴムアレルーギーのないシリコンゴムとしたとしても肌密着不快感対策等の観点から直接肌接触を避けるトイレ・シャワー・入浴機能ベッド対応シーツも条件等により必要となる。又、使い捨てモムツは、消費上、及び産廃処理のエコ対策上も解決すべき課題である。本発明は、トイレ・シャワー・入浴機能ベッドの発明と合わせて、それらのニーズに対応する為の発明である。最近の水着素材及び介護シーツ素材は、水はけ性及び乾燥性以外に冷感軽減性・保温性・通気性・触感性、等に優れた素材が開発されており、本下着及びシーツは常時着用等の仕様なので、それらのより特性の優れた素材とすることが望ましい。網目及び生地の厚さ及び構造においても水はけ性及び乾燥性に優れた構造とすることが望ましい。又、いずれの下着においては腰回りのサイド位置又は背面位置にて一箇所又は２箇所を簡単着脱合せ構造とすることもできる。又、いずれの下着及びシーツにおいても撥水加工を施したものとすることもできる。又、いずれの下着及びシーツにおいても素材生地については現状開発市販されているものの中から適正素材を選択したがより優れたものが発明されればそのより優れた素材生地とすることができる。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用下着、及び重度要介護者用パジャマ、及び重度要介護用シーツの提供が可能となる。
【００１０】
この課題を解決するための請求項２の発明は、排泄及びシャワー対応機能付帯ベッド使用重度要介護者用下着及びシーツにおいて、重度要介護者用腹巻状下着又は被介護者用腹巻又は重度要介護者用ロング腹巻（概ね胸から膝上まで覆う構造）又は重度要介護者用スリップの構造を、排泄対応機能付帯ベッド又は更にシャワー対応機能・入浴機能等の機能付帯ベッドに仰向け仰臥状態で、小便が上部に飛散することのない且つ上方より恥部が見えない構造で、概ね大便の付着の無い状態で大便の排泄ができ且つ小便が滞留することなく排泄対応機能部に流れ落ちる臀部側排泄解放穴を臀部部に設けた構造もしくは上記臀部側排泄開放穴の下部を連続した解放構造又はスリット解放構造の解放構造のいずれかの構造とし且つ股下位置よりも下方に幾分ずれた位置（臀部側排泄開放穴構造においては解放穴の下端位置）に左右もしくは腿内側前後を縫付又は片側簡単着脱構造で一部連結する構造又は臀部側排泄開放穴下部解放有無にかかわらず足側から恥部を隠し且つ排尿の飛散を防止する布を股下位置よりも下方に幾分ずれた位置に前側から垂下る構造又は前後（下部解放構造においては前後左右）縫付又は片側簡単着脱構造で連結する構造又は上記いずれかの構造で且つ背中部合せ簡単着脱合構造のいずれかの構造とし、且つ本体部生地素材を、水はけ性及び乾燥性及び伸縮性に優れたポリエステル繊維又はポリエステル複合繊維又はそれらの繊維のいずれかとポリウレタン弾性繊維組合せ構造の素材のいずれかの素材とした、重度要介護者用腹巻状下着又は重度要介護者用腹巻又は重度要介護者用ロング腹巻又は重度要介護者用スリップ。トイレ・シャワー・入浴機能有し、且つ頭顔部を除く肩から下部の全身を覆う遠赤外線暖房付帯ドーム構造の常時裸生活対応機能ベッドにおいて、常時下着だけ着用の裸生活をおくる場合、お腹を覆う布の有無により適正空調温度が異なり、お腹を覆うことで適正空調温度を２〜３℃程度低く抑えることが可能となる。頭顔部を覆わないドーム構造であっても下着だけの裸生活は適正空調温度を高くする必要があり、脱水防止としてこまめのミネラル水補給等の対応が必要となるのでお腹を覆う下着の着用は脱水防止対策として有効であり本発明の下着はそのニーズにこたえるものである。いずれの下着においても素材生地については現状開発市販されているものの中から適正素材を選択したがより優れたものが発明されればそのより優れた素材生地とすることができる。又、いずれの下着においても撥水加工を施したものとすることもできる。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用下着の提供が可能となる。
【００１１】
この課題を解決するための請求項３の発明は、前記請求項１又は２記載の重度要介護者用ショーツ又は重度要介護者用ブリーフ又は重度要介護者用腹巻状下着又は重度要介護者用腹巻又は被介護者用ロング腹巻又は重度要介護者用スリップにおいて、基本構造を前記請求項１又は２記載構造とし、本体部生地素材を、高伸縮性シリコンゴム、又は水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、全体、又は強度機能又は操作機能又はデザイン機能又は露出の問題が懸念される部分を除いた部分をお湯や尿が即座に排出され速乾性に優れる網目状（繊維においては目視可能隙間のある織り目構造でシリコンゴムにおいては目視可能なる無数の穴あき構造）の構造とした、重度要介護者用ショーツ又は重度要介護者用ブリーフ又は重度要介護者用腹巻状下着又は重度要介護者用腹巻又は重度要介護者用ロング腹巻又は重度要介護者用スリップ。いずれの下着においても腰回りのサイド位置又は背面位置にて簡単着脱合せ構造とすることもできる。又、いずれの下着においても素材生地については現状開発市販されているものの中から適正素材を選択したがより優れたものが発明されればそのより優れた素材生地とすることができる。又、いずれの下着においても撥水加工を施したものとすることもできる。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用下着の提供が可能となる。
【００１２】
この課題を解決するための請求項４の発明は、排泄及びシャワー対応機能付帯ベッド使用重度要介護者用ブラジャーにおいて、本体部生地素材を、高伸縮性シリコンゴムとし、全体、又は強度機能又は操作機能又はデザイン機能又は露出の問題が生ずる部分を除いた部分を、お湯等が即座に排出され速乾性に優れた無数の穴あき構造とした、重度要介護者用ブラジャー。本発明により、重度要介護者のプライバシーを保護する常時裸生活対応遠赤外線暖房・シャワードーム式トイレ・シャワー・入浴機能付帯在宅・自立支援型自動万能快適介護ベッド等のベッド上で常時着用使用する、重度要介護者用ブラジャーの提供が可能となる。
【００１３】
この課題を解決するための請求項５の発明は、排泄及びシャワー対応機能付帯ベッド使用重度要介護者用パジャマにおいて、本体部生地素材を、水はけ性及び乾燥性及び伸縮性に優れたポリエステル繊維又はポリエステル複合繊維のいずれか又はそれらとポリウレタン弾性繊維組合せ構造の素材のいずれかの素材とするとともに、前側クロス合わせ簡単脱着構造、且つ首部及び腕部Ｕの字溝肩部クロス合わせ簡単脱着の袖無し構造とした一枚シート状の簡単開閉前合わせワンピース構造とし、且つ排泄対応機能付帯ベッド又は更にシャワー対応機能・入浴機能等の機能付帯ベッドに仰向け仰臥状態で概ね大便の付着の無い状態で大便の排泄ができる臀部部に排泄用解放穴を設けた構造、もしくは更に上記排泄用解放穴の上部に縫い付け構造もしくは簡単着脱構造で臀部露出防止垂れ下げカバーを取り付ける構造、のいずれかの構造とし、着用状態にてパジャマ機能となり未着用シート状にてシーツ機能を有する機能構造とした、重度要介護者用パジャマ、又は重度要介護者用シーツ兼用パジャマ。トイレ・シャワー・入浴機能有し、且つ頭顔部を除く肩から下部の全身を覆う遠赤外線暖房付帯ドーム構造の常時裸生活対応機能ベッドであっても、特に女性は裸生活には大きな抵抗がある。胸や恥部を覆う下着だけではなく、来客、診察、授介護時等に簡単に装着できるパジャマも必要である。又、伸縮性ゴムシート構造のトイレ・シャワー・入浴機能ベッド上常時裸生活ではゴムシートをゴムアレルーギーのないシリコンゴムとしたとしても肌密着不快感対策等の観点から直接肌接触を避けるトイレ・シャワー・入浴機能ベッド対応シーツも条件等により必要となる。本発明は、着用したまま、又はシーツとして使用したままで、排泄・シャワー・入浴、且つ速乾機能常時着用・使用構造、且つ簡単着脱構造のパジャマとすることでそれらのニーズに対応する発明である。遠赤外線暖房は血行促進効果があるので、遠赤外線暖房ドームでは通常パジャマは使用せず常時裸もしくは請求項１〜４記載の水着仕様下着等を着用した状態での生活が望ましい。従ってワンピース構造パジャマとすることで、通常はシーツとして使用し、食事等の起上り生活、及び来客、診察、授介護時に瞬時に着用できる構造としたものである。又、生地の織目及び厚さ及び構造においても水はけ性及び乾燥性に優れた構造とすることが望ましい。シーツ兼用パジャマにおいてはシーツ仕様での使用時にベッドゴムシートの排泄機能部と重度要介護者用シーツ兼用パジャマの排泄用開放穴部の位置ずれ防止対応機能として、腰紐兼用ベッド固定紐構造、又はスナップ釦、平面ファスナー等簡易着脱紐構造等の構造とし、数箇所ベッド筺体外周フレーム等に固定できる構造とすることが望ましい。又、いずれの構造においても素材生地については現状開発市販されているものの中から適正素材を選択したがより優れたものが発明されればそのより優れた素材生地とすることができる。又、いずれの構造においても撥水加工を施したものとすることもできる。本発明により、重度要介護者のプライバシーを保護する常時裸（水着機能下着着用）生活対応遠赤外線暖房・シャワードーム式トイレ・シャワー・入浴機能付帯在宅・自立支援型自動万能快適介護ベッド等のベッドで使用する、重度要介護者用パジャマ、及び重度要介護者用シーツ兼用パジャマの提供が可能となる。
【００１４】
この課題を解決するための請求項６の発明は、排泄及びシャワー対応機能付帯ベッド使用重度要介護者用パジャマにおいて、本体部生地素材を、水はけ性及び乾燥性及び伸縮性に優れたポリエステル繊維又はポリエステル複合繊維のいずれか又はそれらとポリウレタン弾性繊維組合せ構造の素材のいずれかの素材とするとともに、シート状に開いた状態において両サイドが背中中心部となる一枚シート構造とし、首部及び腕部Ｕの字溝肩部クロス合わせ袖無し背中合せワンピース構造とし、且つ泄対応機能付帯ベッド又は更にシャワー対応機能・入浴機能等の機能付帯ベッドに仰向け仰臥状態で概ね大便の付着の無い状態で大便の排泄ができる臀部部に両側半楕円形状等の合せ構造の排泄用解放穴設置構造とし、上記両側合せ排泄用解放穴の上部側ファスナー設置構造又は数ケ所簡単脱着連結構造のいずれかの構造で且つ合せ排泄用解放穴の直下部一ケ所を簡単脱着連結構造、又は更に上記排便用解放穴の上部に簡単着脱構造で臀部露出防止垂れ下げ飾りカバーを取り付けた構造、のいずれかの構造とし、着用状態にてパジャマ機能となり未着用シート状にて肌掛け機能を有する機能構造とした、重度要介護者用パジャマ、又は重度要介護者用肌掛け兼用パジャマ。着用したまま、排泄・シャワー・入浴、且つ速乾常時着用機能構造で、且つ簡単着脱のワンピース構造パジャマとすることで、通常は肌掛として使用し、食事等の起上り生活、及び来客、診察、授介護時に瞬時に着用することもできる構造としたものである。生地の織目及び厚さ及び構造においても水はけ性及び乾燥性に優れた構造とすることが望ましい。又、いずれの構造においても素材生地については現状開発市販されているものの中から適正素材を選択したがより優れたものが発明されればそのより優れた素材生地とすることができる。又、いずれの構造においても撥水加工を施したものとすることもできる。本発明により、重度要介護者のプライバシーを保護する常時裸（水着機能下着着用）生活対応遠赤外線暖房・シャワードーム式トイレ・シャワー・入浴機能付帯在宅・自立支援型自動万能快適介護ベッド等のベッドで使用する、重度要介護者用パジャマ、及び重度要介護者用肌掛兼用パジャマの提供が可能となる。
【００１５】
この課題を解決するための請求項７の発明は、前記請求項１記載の重度要介護者用シーツにおいて、基本構造を前記請求項１記載構造とし、本体部生地素材を、高伸縮性シリコンゴム、もしくは水はけ性及び乾燥性及び伸縮性に優れたポリエステル繊維又はポリエステル複合繊維又はそれらの繊維のいずれかとポリウレタン弾性繊維組合せ構造の素材のいずれかの素材とし、お湯や尿が即座に排出され速乾性に優れる網目状（繊維においては目視可能隙間のある織り目構造でシリコンゴムにおいては目視可能なる無数の穴あき構造）の構造とした、重度要介護者用シーツ。本発明はベッド仰臥面部を高伸縮性シリコンゴムシートとしたトイレ・シャワー・入浴対応機能ベッド用のシーツとして発明したものである。高伸縮性シリコンゴムシート仰臥面を肌密着防止凹凸金型成形構造等することで、シーツ不要対応とすることも可能であるが、コスト性、及び清掃性・衛生維持性上のポテンシャルがある。ベッドシートを平坦面構造とし、本トイレ・シャワー機能付帯ベッド用介護シーツを使用することで快適条件を満たすことができる。シリコンゴム素材品においては表裏両面の４隅コーナー部及び排泄機能穴部の両側サイド部等に位置ずれ防止機能穴なし凹凸無し平坦平面部を設けた構造とし且つその他は全体を密着防止の梨地（凹凸）面構造とすることが望ましい。使用時にベッドシリコンゴムシートの排泄機能部と本トイレ・シャワー対応機能付帯ベッド用介護用シーツの排泄用開放穴部の位置ずれ防止対応機能として繊維素材においてはスナップ釦・平面ファスナー等の簡易着脱位置ずれ防止機能付加構造とすることが望ましい。本発明により、常時裸生活対応遠赤外線暖房・シャワードーム式トイレ・シャワー・入浴機能付帯在宅・自立支援型自動万能快適介護ベッド等のベッドで使用する、重度要介護者用シーツの提供が可能となる。 
【発明の効果】
【００１６】
本発明により、排泄・シャワー・簡易入浴・遠赤外線暖房ドーム裸仰臥生活等の対応機能付帯ベッドにて、重度要介護仰臥者が排泄・シャワー・簡易入浴・遠赤外線暖房ドーム裸仰臥生活等のベッド機能に対応するために着用又は使用する、重度要介護者用ショーツ、及び重度要介護者用ズロース、及び、重度要介護者用ブリーフ、及び重度要介護者用トランクス、及び、重度要介護者用褌、及び重度要介護者用パジャマ、及び重度要介護者用腹巻状下着、及び重度要介護者用腹巻、及び重度要介護者用ロング腹巻、及び重度要介護者用スリップ、及び重度要介護者用ブラジャー、及び重度要介護者用シーツ兼用パジャマ、及び重度要介護者用肌掛け兼用パジャマ、及び重度要介護者用シーツの提供が可能となり、老々介護・低負荷介護対応の安価高利便性在宅型トイレ・シャワー・簡易入浴・遠赤外線暖房ドーム機能付帯多機能介護ベッド、及びベッド仰臥者用薄型テレビ等多機能載置装置、及びベッド仰臥姿勢リハビリデジタル映像視聴実施ソフトの発明・提供と合わせ、重度要介護者の生甲斐・障害・家族負荷付与の精神ストレスの改善、及び在宅介護者負荷の飛躍的改善を図ることが可能となる。
【発明を実施するための最良の形態】
【００１７】
図１は、請求項１及び２記載の、下着本体部生地素材を水はけ性・乾燥性・伸縮性・保温性等に優れたポリエステル複合繊維とポリウレタン弾性繊維組合せ構造の東レ製サラカラ等の水着用素材とし、股下位置構造を下着股下部を人体股下に対し２０mm程度隙間を持たせた膨らみ付加構造としその下着の股下中央最下点部を最下点とした臀部楕円形排泄開放穴設置構造とした、トイレ・シャワー機能付帯ベッド用被介護者用ショーツ５１０の、正面図５１０Ａ、及び上面図５１０Ｂである。上記被介護者用ショーツ５１０の部位符号名称は、臀部楕円形排泄解放穴部５１１ｄ、排尿性対応の股下膨らみ部５１１ｅである。
【００１８】
図２は、請求項１及び２記載の、下着本体部生地素材を水はけ性・乾燥性・伸縮性・保温性等に優れたポリエステル複合繊維とポリウレタン弾性繊維組合せ構造の東レ製サラカラ等の水着用素材とし、中央交錯スリット削除・性器部膨らみ大とした構造とし且つ股下位置構造を下着股下部を人体股下に対し４０mm程度隙間を持たせた膨らみ付加構造としその下着の股下中央最下点部を最下点とした臀部大排泄開放穴設置構造とした、トイレ・シャワー機能付帯ベッド用被介護者用ブリーフ５２０の、正面図５２０Ａ、及び上面図５２０Ｂである。上記被介護者用ブリーフ５２０の部位符号名称は、臀部大排泄解放穴部５２１ｄ、排尿性対応の又下膨らみ部５２１ｅ、速乾性対応クロス削除性器膨らみ部５２１ｆである。
【００１９】
図３は、請求項１及び２記載の、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に大排泄開放穴を設置し、且つその大排泄開放穴の下部をスリット解放構造とし、且つ大排泄開放穴下端・スリット開始位置と前面部を連結する構造で、恥部覆い及び排尿飛散防止用下着本体部生地同一素材の股下覆い布を縫い付けて設置した構造とした、トイレ・シャワー機能付帯ベッド用被介護者用腹巻状下着５３０の、着用状態正面図５３０Ａ及び着用状態上面図５３０Ｂである。上記被介護者用腹巻状下着５３０の部位符号名称は、臀部大排泄解放穴部５３１ｃ、臀部大排泄解放穴下側スリット部５３１ｄ、又下覆い布部５３２である。
【００２０】
図４は、請求項３記載の、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に概ね楕円形上の排泄開放穴を設置し、且つその臀部大排泄開放穴の上下で背中央部分割簡単脱着合わせ構造とし、上部はフックセット金具５４４着脱構造、下部は、恥部覆い及び排尿飛散防止用下着本体部生地同一素材の股下覆い布５４２に縫い付けたスナップ釦５４３で左右連結する構造とし、更に股下覆い布５４２のスナップ釦５４３反縫い付け側を同一高さ位置の全面部に縫い付けた背面合せ簡単着脱股下覆い布設置構造とするとともに、腹部及び性器部及び性器周辺部及び外周部を除く部分を水が即座に排出され、外観性・速乾性を有する穴開き網目状構造とした、トイレ・シャワー機能付帯ベッド用被介護者用腹巻状下着５４０の、着用状態正面図５４０Ａ、及び展開図５４０Ｂである。上記被介護者用腹巻状下着５４０の部位符号名称は、腹巻下着本体通常織目生地部５４１ａ、腹巻下着本体穴明き網目状生地部５４１ｂ、臀部排泄解放穴部５４１ｃ、背中側合せ部５４１ｄ、臀部排泄開放穴下側スリット部５４１ｅ、股下覆い布部５４２、スナップ釦凸側５４３ａ、スナップ釦凹側５４３ｂ、フックセット金具オス５４４ａ、フックセット金具メス５４４ｂである。
【００２１】
図５は、請求項４記載の、本体部生地素材をポリエステル複合繊維とポリウレタン弾性繊維組合せ構造の東レ製サラカラ等の水着用素材とし、乳輪部、外周縁部、着脱接合部を除く部分を水が即座に排出され、速乾性を有した構造で適切形状の穴を設けた網目状の構造とし、且つ背中部を高伸縮性ゴム紐縫い付け連結構造とし、且つ胸中央部でフック金具簡単着脱分離連結構造とした、トイレ・シャワー機能付帯ベッド用被介護者用ブラジャーの展開図である。上記被介護者用ブラジャー５５０の部位符号名称は、ブラジャー穴明き網目状部５５１ａ、ブラジャー外周通常織目生地部５５１ｂ、ブラジャー乳輪通常織目生地部５５１ｃ、ブラジャー背中高伸縮性ゴム紐部５５２、フックセット金具オス５４４ａ、フックセット金具メス５４４ｂ。
【００２２】
図６は、請求項４記載の、本体部生地素材を高伸縮性シリコンゴムとし、乳輪部、外周縁部、着脱接合部を除く部分を水が即座に排出され、速乾性、肌好接触性を有した構造での穴を設けた網目状の構造とし、且つ背中中央部でのスナップ釦簡単着脱分離連結構造とした、トイレ・シャワー機能付帯ベッド用被介護者用ブラジャーの展開図である。上記被介護者用ブラジャー５６０の部位符号名称は、ブラジャー穴明き網目状部５６１ａ、ブラジャー外周通常織目生地部５６１ｂ、ブラジャー乳輪通常織目生地部５６１ｃ、ブラジャー背中紐部５６１ｄ、スナップ釦凸側５４３ａ、スナップ釦凹側５４３ｂである。
【００２３】
図７は、請求項５記載の、本体部生地素材をポリエステル複合繊維とポリウレタン弾性繊維組合せ構造の東レ製サラカラ等の水着用素材とし、スナップ釦での前側クロス合わせ簡単脱着構造、且つ首部及び腕部Ｕの字溝肩部クロス合わせ簡単脱着の袖無し構造とした一枚シート状の簡単開閉前合わせワンピース構造とし、且つ臀部部に概ね排泄物の付着が防止できる排泄解放穴を設け、且つその排泄解放穴の下部中央部から背面下端までスリット分割構造とし、且つその排泄解放穴下部中央スリット部に簡単着脱構造で股下解放防止連結紐を設置し、更に上記排泄解放穴の上部に臀部露出防止垂れ下げカバーを縫い付け設置した構造とし、更に臀部排泄穴位置ずれ防止としてシーツ・肌掛ベッド固定紐簡単着脱対応構造とした、トイレ・シャワー機能付帯ベッド用素材被介護者用シーツ兼用パジャマ６１０の、着用状態正面図６１０Ａ、及び展開図６１０Ｂである。上記被介護者用シーツ兼用パジャマ６１０の部位符号名称は、シーツ兼用パジャマ本体部６１１、シーツ兼用パジャマ前合せ部６１１ａ、シーツ兼用パジャマ臀部排泄解放穴部６１１ｂ、シーツ兼用パジャマ背面脚スリット部６１１ｃ、シーツ兼用パジャマ腕通し部６１１ｄ、シーツ兼用パジャマクロス合せ肩部６１１ｅ、シーツ兼用パジャマ首通し部６１１ｆ、シーツ兼用パジャマ臀部股下解放防止連結紐６１２、シーツ兼用パジャマ臀部露出防止垂れ下げカバー６１３、スナップ釦凸側５４３ａ、スナップ釦凹側５４３ｂ、シーツ・肌掛ベッド固定ゴム紐６３０である。
【００２４】
図８は、請求項６記載の、本体部生地素材をポリエステル複合繊維の帝人製カルキュロR等の速乾性介護シーツ用素材とし、背中中央部分割簡単連結脱着構造で、且つ臀部部に概ね排泄物の付着が防止できる排泄解放穴（中央分割解放穴合わせ構造）を設けた構造とし、背中部をファスナー連結構造とし、排泄解放穴下端中央合せ部をスナップ釦での連結構造とし、且つ首部及び腕部Ｕの字溝肩部クロス合わせ簡単脱着の袖無し構造とした一枚シート状の簡単開閉背中合わせワンピース構造とし、且つベッド外活動対応として排泄用解放穴上部にスナップ釦での臀部露出防止垂れ下げカバーを簡単脱着構造で設置し、更に臀部排泄穴位置ずれ防止としてシーツ・肌掛ベッド固定紐簡単着脱対応構造とした、トイレ・シャワー機能付帯ベッド用被介護者用肌掛兼用パジャマ６２０の、着用状態正面図６２０Ａ、及び展開図６２０Ｂである。上記被介護者用肌掛兼用パジャマ６２０の部位符号名称は、肌掛兼用パジャマ本体部６２１、肌掛兼用パジャマ背中合せ部６２１ａ、肌掛兼用パジャマ臀部排泄解放穴部６２１ｂ、肌掛兼用パジャマ背面脚スリット部６２１ｃ、肌掛兼用パジャマ腕通し部６２１ｄ、肌掛兼用パジャマクロス合せ肩部６２１ｅ、肌掛兼用パジャマ首通し部６２１ｆ、肌掛兼用パジャマフアスナー６２２、フアスナーピン側６２２ａ、フアスナーボックス側６２２ｂ、肌掛兼用パジャマ脱着式臀部露出防止垂れ下げカバー６２３、スナップ釦凸側５４３ａ、スナップ釦凹側５４３ｂ、シーツ・肌掛ベッド固定ゴム紐６３０である。
【００２５】
図９は、請求項１記載の、本体部生地素材をポリエステル複合繊維の帝人製カルキュロR等の速乾性介護シーツ用素材とし、ベッド仰臥者の排泄機能部位位置に排泄物の付着を概ね防止できる大きさの排泄開放穴を設けた構造とし、更に臀部排泄穴位置ずれ防止としてシーツ・肌掛ベッド固定紐簡単着脱対応構造とした、トイレ・シャワー機能付帯ベッド用介護シーツ７１０の上面図である。上記介護シーツ７１０の部位符号名称は、介護用シーツ本体部７１０ａ、介護シーツ臀部排泄解放穴部７１０ｂ、スナップ釦凹側５４３ｂ、シーツ・肌掛ベッド固定ゴム紐６３０である。
【００２６】
図１０は、請求項７記載の、本体部生地素材を高伸縮性シリコンゴムとし、且つベッド仰臥者の排泄機能部位位置に排泄物の付着を概ね防止できる大きさの排泄開放穴を設けた構造とし、且つ排水性、乾燥性、好触感性（密着不快感の軽減）に対応した概ね適性ピッチにて上下同一位置に球面状等の突起を有し且つ突起間に開放穴を有した金型成形構造とし、更に臀部排泄穴位置ずれ防止としてシーツ・肌掛ベッド固定紐簡単着脱対応構造とした、トイレ・シャワー機能付帯ベッド用介護シーツ７２０の上面図である。上記介護シーツ７２０の部位符号名称は、介護シーツ外周平坦面部７２０ａ、介護シーツ球面突起・開放穴設置部７２０ｂ、介護シーツ臀部排泄解放穴部７２０ｃ、スナップ釦凹側５４３ｂ、シーツ・肌掛ベッド固定ゴム紐６３０である。
【００２７】
図１１は、ベッド仰臥姿勢リハビリデジタル映像視聴実施ソフト・家族対話機能を装備したベッド仰臥者用薄型テレビ等多機能載置装置を設置し、トイレ・シャワー・簡易入浴・裸仰臥生活対応遠赤外線暖房ドーム・機能等の重度要介護者の必要ニーズ概ね全てを満たした、在宅・自立支援型自動万能快適介護ベッド、生涯ライフ対応サウナ機能付帯自動万能快適ベッドの全体正面図である。在宅・自立支援型自動万能快適介護ベッドについては「特願2011-061829の図５」の説明を参照。
【図面の簡単な説明】
【００２８】
【図１】図１は、下着本体部生地素材を、水はけ性・乾燥性・伸縮性・保温性等に優れたポリエステル複合繊維とポリウレタン弾性繊維組合せ構造の東レ製サラカラ等の水着用素材とし、股下位置構造を下着股下部を人体股下に対し２０mm程度隙間を持たせた膨らみ付加構造とし、その下着の股下中央最下点部を最下点とした臀部楕円形排泄開放穴設置構造とした、トイレ・シャワー機能付帯ベッド用被介護者用ショーツ５１０の、正面図５１０Ａ、及び上面図５１０Ｂである。
【図２】図２は、下着本体部生地素材を水はけ性・乾燥性・伸縮性・保温性等に優れたポリエステル複合繊維とポリウレタン弾性繊維組合せ構造の東レ製サラカラ等の水着用素材とし、中央交錯スリット削除・性器部膨らみ大とした構造とし且つ股下位置構造を下着股下部を人体股下に対し４０mm程度隙間を持たせた膨らみ付加構造としその下着の股下中央最下点部を最下点とした臀部大排泄開放穴設置構造とした、トイレ・シャワー機能付帯ベッド用被介護者用ブリーフ５２０の、正面図５２０Ａ、及び上面図５２０Ｂである。
【図３】図３は、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に大排泄開放穴を設置し、且つその大排泄開放穴の下部をスリット解放構造とし、且つ大排泄開放穴下端・スリット開始位置と前面部を連結する構造で、恥部覆い及び排尿飛散防止用下着本体部生地同一素材の股下覆い布を縫い付けて設置した構造とした、トイレ・シャワー機能付帯ベッド用被介護者用腹巻状下着５３０の、着用状態正面図５３０Ａ、及び着用状態上面図５３０Ｂである。
【図４】図４は、請求項43記載の、下着本体部生地素材を水はけ性・乾燥性・伸縮性・保温性等に優れたポリエステル複合繊維とポリウレタン弾性繊維組合せ構造の東レ製サラカラ等の水着用素材とし、臀部側部に概ね楕円形上の排泄開放穴を設置し、且つその臀部大排泄開放穴の上下で背中央部分割簡単脱着合わせ構造とし、上部はフックセット金具５４４着脱構造、下部は、恥部覆い及び排尿飛散防止用下着本体部生地同一素材の股下覆い布５４２に縫い付けたスナップ釦５４３で左右連結する構造とし、更に股下覆い布５４２のスナップ釦５４３反縫い付け側を同一高さ位置の全面部に縫い付けた背面合せ簡単着脱股下覆い布設置構造とするとともに、腹部及び性器部及び性器周辺部及び外周部を除く部分を穴穴開き網目状構造とした、トイレ・シャワー機能付帯ベッド用被介護者用腹巻状下着５４０の、着用状態正面図５４０Ａ、及び展開図５４０Ｂである
【図５】図５は、本体部生地素材をポリエステル複合繊維とポリウレタン弾性繊維組合せ構造の東レ製サラカラ等の水着用素材とし、乳輪部、外周縁部、着脱接合部を除く部分を水が即座に排出され、速乾性を有した構造で適切形状の穴を設けた網目状の構造とし、且つ背中部を高伸縮性ゴム紐縫い付け連結構造とし、且つ胸中央部でフック金具簡単着脱分離連結構造とした、トイレ・シャワー機能付帯ベッド用被介護者用ブラジャーの展開図である。
【図６】図６は、本体部生地素材を高伸縮性シリコンゴムとし、乳輪部、外周縁部、着脱接合部を除く部分を水が即座に排出され、速乾性、肌好接触性を有した構造での穴を設けた網目状の構造とし、且つ背中中央部でのスナップ釦簡単着脱分離連結構造とした、トイレ・シャワー機能付帯ベッド用被介護者用ブラジャーの展開図である。
【図７】図７は、本体部生地素材をポリエステル複合繊維とポリウレタン弾性繊維組合せ構造の東レ製サラカラ等の水着用素材とし、スナップ釦での前側クロス合わせ簡単脱着構造、且つ首部及び腕部Ｕの字溝肩部クロス合わせ簡単脱着の袖無し構造とした一枚シート状の簡単開閉前合わせワンピース構造とし、且つ臀部部に概ね排泄物の付着が防止できる排泄解放穴を設け、且つその排泄解放穴の下部中央部から背面下端までスリット分割構造とし、且つその排泄解放穴下部中央スリット部に簡単着脱構造で股下解放防止連結紐を設置し、更に上記排泄用解放穴の上部に臀部露出防止垂れ下げカバーを縫い付け設置した構造とし、更に臀部排泄穴位置ずれ防止としてシーツ・肌掛ベッド固定紐簡単着脱対応構造とした、トイレ・シャワー機能付帯ベッド用被介護者用シーツ兼用パジャマ６１０の、着用状態正面図６１０Ａ、及び展開図６１０Ｂである。
【図８】図８は、本体部生地素材を、ポリエステル複合繊維の帝人製カルキュロR等の速乾性介護シーツ用素材とし、背中中央部分割簡単連結脱着構造で、且つ臀部部に概ね排泄物の付着が防止できる排泄解放穴（中央分割解放穴合わせ構造）を設けた構造とし、背中部をファスナー連結構造とし、排泄解放穴下端中央合せ部をスナップ釦での連結構造とし、且つ首部及び腕部Ｕの字溝肩部クロス合わせ簡単脱着の袖無し構造とした一枚シート状の簡単開閉背中合わせワンピース構造とし、且つベッド外活動時に上記排泄解放穴の上部にスナップ釦での臀部露出防止垂れ下げカバーを簡単脱着設置構造とし、更に臀部排泄解放穴位置ずれ防止としてシーツ・肌掛ベッド固定紐簡単着脱対応構造とした、トイレ・シャワー機能付帯ベッド用被介護者用シーツ兼用パジャマ６２０の、着用状態正面図６２０Ａ、及び展開図６２０Ｂである。
【図９】図９は、本体部生地素材を、ポリエステル複合繊維の帝人製カルキュロR等の速乾性介護シーツ用素材とし、ベッド仰臥者の排泄機能部位位置に排泄物の付着を概ね防止できる大きさの排泄開放穴を設けた構造とし、更に臀部排泄解放穴位置ずれ防止としてシーツ・肌掛ベッド固定紐簡単着脱対応構造とした、トイレ・シャワー機能付帯ベッド用ポ介護シーツ７１０の上面図である。
【図１０】図１０は、本体部生地素材を高伸縮性シリコンゴムとし、且つベッド仰臥者の排泄機能部位位置に排泄物の付着を概ね防止できる大きさの排泄開放穴を設けた構造とし、且つ排水性、乾燥性、好触感性（密着不快感の軽減）に対応した概ね適性ピッチにて上下同一位置に球面状等の突起を有し且つ突起間に開放穴を有した金型成形構造とし、更に臀部排泄解放穴位置ずれ防止としてシーツ・肌掛ベッド固定紐簡単着脱対応構造とした、トイレ・シャワー機能付帯ベッド用介護シーツ７２０の上面図である。
【図１１】図１１は、本特許と分離出願した、ベッド仰臥姿勢リハビリデジタル映像視聴実施ソフト・家族対話機能を装備したベッド仰臥者用薄型テレビ等多機能載置装置を設置し、トイレ・シャワー・簡易入浴・裸仰臥生活対応遠赤外線暖房ドーム・機能等の重度要介護者の必要ニーズ概ね全てを満たした、シンプル・在宅・自立型自動万能快適介護ベッド、生涯ライフ対応サウナ機能付帯自動万能快適ベッドの全体正面図である。
【符号の説明】
【００２９】
510  トイレ・シャワー機能付帯ベッド用被介護者用ショーツ
（水着用生地・臀部楕円形排泄開放穴設置・股下膨らみ）
510A 被介護者用ショーツ正面図
510B 被介護者用ショーツ上面図
511aショーツ本体部
511bショーツ胴穴部
511cショーツ脚穴部
511dショーツ臀部楕円形排泄解放穴部
511eショーツ股下膨らみ部
520  トイレ・シャワー機能付帯ベッド用被介護者用ブリーフ（水着用生地・
臀部大排泄開放穴設置・クロススリットレス・股下及び性器部膨らみ）
520A 被介護者用ブリーフ正面図
520B 被介護者用ブリーフ上面図
521aブリーフ本体部
521bブリーフ胴穴部
521cブリーフ脚穴部
521dブリーフ臀部大排泄解放穴部
521eブリーフ股下膨らみ部
521eブリーフクロススリットレス性器膨らみ部
530  トイレ・シャワー機能付帯ベッド用被介護者用腹巻状下着
（水着用生地・臀部大排泄開放穴設置・股下覆い布設置）
530A 被介護者用腹巻状下着着用状態正面図
530B被介護者用腹巻状下着着用状態上面図
531a  腹巻状下着本体部
531b  腹巻状下着胴穴部
531c  腹巻状下着臀部大排泄解放穴部
531d  腹巻状下着臀部大排泄解放穴下側スリット部
532  腹巻状下着股下覆い布部
540  トイレ・シャワー機能付帯ベッド用被介護者用腹巻状下着
（水着用生地・臀部大排泄開放穴設置・背中央部分割簡単脱着
腹部等穴明き網目状・片側脱着連結股下覆い布設置）
540A 被介護者用腹巻状下着着用状態正面図
540B被介護者用腹巻状下着解放展開図
541a  腹巻状下着通常織目生地部
541b  腹巻状下着穴明き網目状生地部
541c  腹巻状下着臀部排泄解放穴部
541d  被腹巻状下着背中側合せ部
541e  腹巻状下着臀部排泄解放穴下側スリット部
542  被介護者用腹巻状下着片側着脱股下覆い布部
543  スナップ釦
543a  トイレ・シャワー機能付帯ベッド用被介護者用シーツ兼用パジャマ
（水着用生地・スナップ釦簡単着脱前合せワンピース構造・臀部大
排  泄開放穴設置・排泄開放穴下部スリット・臀部股下解放防止紐
設置・臀部覆い垂れ下げカバー設置・排泄解放穴位置ズレ防止ベッド
固定紐設置対応機能設置）凸側
543b  スナップ釦凹側
544  フックセット金具
544a フックセット金具オス
5404 フックセット金具メス
550  トイレ・シャワー機能付帯ベッド用被介護者用ブラジャー（水着用生地
・乳輪部以外穴明き網目状・胸中央フック金具簡単着脱・背中ゴム紐）
551a  ブラジャー穴明き網目状部
551b  ブラジャー外周通常網目生地部
551c  ブラジャー乳輪通常織目生地部
552  ブラジャー背中高伸縮性ゴム紐部
560  トイレ・シャワー機能付帯ベッド用被介護者用ブラジャー
（高伸縮性シリコンゴム製・乳輪部以外穴明き網目状・背中中央簡単着脱）
561a  ブラジャー穴明き網目状部
561b  ブラジャー外周平坦面部
561c  ブラジャー乳輪平坦面部
561d  ブラジャー背中紐部
600  パジャマ着用者
610  トイレ・シャワー機能付帯ベッド用被介護者用シーツ兼用パジャマ
（水着用生地・スナップ釦簡単着脱前合せワンピース構造・臀部大排泄
開放穴設置・排泄開放穴下部スリット・臀部股下解放防止紐設置・臀部
覆い垂れ下げカバー設置・排泄解放穴位置ズレ防止ベッド固定紐設置）
610A 被介護者用シーツ兼用パジャマ着用状態図
610B被介護者用シーツ兼用パジャマ展開図
611  シーツ兼用パジャマ本体部
611a  シーツ兼用パジャマ前合せ部
611b  シーツ兼用パジャマ臀部排泄解放穴部
611c  シーツ兼用パジャマ背面脚スリット部
611d  シーツ兼用パジャマ腕通し部
611e  シーツ兼用パジャマクロス合せ肩部
611f  シーツ兼用パジャマ首通し部
612  シーツ兼用パジャマ臀部股下解放防止紐
613  シーツ兼用パジャマ臀部露出防止垂れ下げカバー
620  トイレ・シャワー機能付帯ベッド用被介護者用肌掛兼用パジャマ
（介護シーツ用生地・フアスナー簡単着脱背中合せワンピース構造・
臀部大排泄開放穴設置・排泄開放穴下部スリット・臀部股下解放防止
スナップ釦連結・臀部露出防止垂れ下げカバー設置・排泄解放穴位置
ズレ防止ベッド固定紐設置）
620A 被介護者用肌掛兼用パジャマ着用状態図
620B被介護者用肌掛兼用パジャマ展開図
621  被介護者用肌掛兼用パジャマ本体部
621a  肌掛兼用パジャマ背中合せ部
621b  肌掛兼用パジャマ臀部排泄解放穴部
621c  肌掛兼用パジャマ背面脚スリット部
621d  肌掛兼用パジャマ腕通し部
621e  肌掛兼用パジャマクロス合せ肩部
621f  肌掛兼用パジャマ首通し部
622  肌掛兼用パジャマフアスナー
622a フアスナーピン側
622b フアスナーボックス側
623  肌掛兼用パジャマ脱着式臀部露出防止垂れ下げカバー
630  シーツ・肌掛ベッド固定ゴム紐
710  トイレ・シャワー機能付帯ベッド用介護シーツ
（介護シーツ用素材・排泄解放穴設置・排泄解放穴位置ズレ防止ベッ
ド固定紐設置）
710a 介護用シーツ本体部
710b介護用シーツ臀部排泄解放穴部
720  トイレ・シャワー機能付帯ベッド用介護シーツ
（高伸縮性シリコンゴム・排泄解放穴設置・球面突起・開放穴設置
・排泄解放穴位置ズレ防止ベッド固定紐設置）
720a 介護シーツ外周平坦面部
720b 介護シーツ球面突起・開放穴設置部
720c 介護シーツ臀部排泄解放穴部
【手続補正２】
【補正対象書類名】図面
【補正対象項目名】全図
【補正方法】変更
【補正の内容】
【図１】
2016176177.tif 000014
【図２】
2016176177.tif 000015
【図３】
2016176177.tif 000016
【図４】
2016176177.tif 000017
【図５】
2016176177.tif 000018
【図６】
2016176177.tif 000019
【図７】
2016176177.tif 000020
【図８】
2016176177.tif 000021
【図９】
2016176177.tif 000022
【図１０】
2016176177.tif 000023
【図１１】
2016176177.tif 000024